(57)【要約】      （修正有）【課題】操作者個人にとって便利な動作設定を容易に実現できるとともに、元の動作設定へも容易に復帰できる。【解決手段】表示動作を行う表示部１０等と、当該動作に関する動作設定情報を記憶可能な主メモリ２４と、当該動作に関する個人設定情報及び復帰条件情報を記憶保持したタグカードＴとの間で無線通信を行うアンテナ９とを有する複合機２において、主メモリ２４の記憶内容に基づき表示部１０等を制御し、無線通信によりタグカードＴの個人設定情報及び復帰条件情報が取得された場合に、主メモリ２４に記憶されていた動作設定情報を退避用メモリ３０に退避処理するとともに取得された個人設定情報を主メモリ２４に書き込み、表示部１０等に主メモリ２４に書き込まれた個人設定情報に応じた動作を行わせた後、取得された復帰条件情報の復帰条件が満たされた場合、退避処理されていた動作設定情報を主メモリ２４内に復帰処理する。【選択図】図２
2010128868.tif 000002
【特許請求の範囲】
【請求項１】
所定の動作を行う動作手段と、
前記動作手段の前記所定の動作に関する動作設定情報を記憶可能な設定記憶手段と、
前記設定記憶手段の記憶内容に基づき、前記動作手段を制御する制御手段と
を有する無線タグ読み取り機能付き機器であって、
前記動作手段の前記所定の動作に関する個人設定情報と前記動作手段が前記個人設定情報に応じた動作を行った後の復帰条件情報とを記憶保持した、無線タグとの間で無線通信により情報の送受信を行うアンテナ手段と、
前記アンテナ手段を介し、無線通信により前記無線タグから、少なくとも前記個人設定情報及び前記復帰条件情報を含む情報を取得する情報取得手段と、
前記情報取得手段が前記個人設定情報を取得したことに応じて、前記設定記憶手段に記憶されていた前記動作設定情報を前記設定記憶手段外に退避処理するとともに、前記取得された前記個人設定情報を前記設定記憶手段に書き込む、設定変更手段と、
前記制御手段の制御により前記動作手段が前記設定記憶手段に書き込まれた前記個人設定情報に応じた動作を行った後、前記情報取得手段で取得された前記復帰条件情報に対応した復帰条件が満たされた場合、前記退避処理されていた前記動作設定情報を前記設定記憶手段内に復帰処理する設定復帰手段と
を有することを特徴とする無線タグ読み取り機能付き機器。
【請求項２】
請求項１記載の無線タグ読み取り機能付き機器において、
前記設定変更手段は、
前記退避処理として、前記設定記憶手段に記憶されていた前記動作設定情報を、退避用記憶手段に書き込み、
前記設定復帰手段は、
前記復帰処理として、前記退避用記憶手段に記憶されていた前記動作設定情報を読み取り、前記設定記憶手段に書き込む
ことを特徴とする無線タグ読み取り機能付き機器。
【請求項３】
請求項１記載の無線タグ読み取り機能付き機器において、
前記設定変更手段は、
前記退避処理として、前記設定記憶手段に記憶されていた前記動作設定情報を、前記アンテナ手段を介し無線通信により前記無線タグに書き込み、
前記設定復帰手段は、
前記復帰処理として、前記無線タグに記憶された前記動作設定情報を前記アンテナ手段を介し無線通信により読み取り、前記設定記憶手段に書き込む
ことを特徴とする無線タグ読み取り機能付き機器。
【請求項４】
請求項３記載の無線タグ読み取り機能付き機器において、
前記動作手段が前記設定記憶手段に書き込まれた前記個人設定情報に応じた動作を行った後、前記設定復帰手段が前記無線タグから読み取った前記動作設定情報を前記設定記憶手段に書き込む際、前記設定記憶手段の記憶内容を新たな前記個人設定情報として、前記アンテナ手段を介し無線通信により前記無線タグに書き込む個人設定更新手段を有する
ことを特徴とする無線タグ読み取り機能付き機器。
【請求項５】
請求項１乃至請求項４のいずれか１項記載の無線タグ読み取り機能付き機器において、
前記情報取得手段は、
前記復帰条件が、前記動作手段により前記所定の動作に係わる所定の作業量が終了した作業量条件である、前記復帰条件情報を取得し、
前記設定復帰手段は、
前記作業量条件が満たされたら、前記動作設定情報を読み取って前記設定記憶手段に書き込む
ことを特徴とする無線タグ読み取り機能付き機器。
【請求項６】
請求項１乃至請求項４のいずれか１項記載の無線タグ読み取り機能付き機器において、
前記情報取得手段は、
前記復帰条件が、前記動作手段により前記個人設定情報に応じた動作を開始後、所定の時間が経過した時間条件である、前記復帰条件情報を取得し、
前記設定復帰手段は、
前記時間条件が満たされたら、前記動作設定情報を読み取って前記設定記憶手段に書き込む
ことを特徴とする無線タグ読み取り機能付き機器。
【請求項７】
請求項１乃至請求項４のいずれか１項記載の無線タグ読み取り機能付き機器において、
前記情報取得手段は、
前記復帰条件が、前記動作手段により前記個人設定情報に応じた動作を開始後、前記情報取得手段で前記無線タグの識別情報が取得された無線タグ通信条件である、前記復帰条件情報を取得し、
前記設定復帰手段は、
前記無線タグ通信条件が満たされたら、前記動作設定情報を読み取って前記設定記憶手段に書き込む
ことを特徴とする無線タグ読み取り機能付き機器。
【請求項８】
請求項１乃至請求項４のいずれか１項記載の無線タグ読み取り機能付き機器において、
前記情報取得手段は、
前記復帰条件が、前記情報取得手段で前記個人設定情報が取得されて前記設定記憶手段に書き込まれ、前記動作手段が当該個人設定情報に応じた動作を開始した後、前記情報取得手段で前記無線タグの識別情報が取得されなくなった無線タグ非通信条件である、前記復帰条件情報を取得し、
前記設定復帰手段は、
前記無線タグ非通信条件が満たされたら、前記動作設定情報を読み取って前記設定記憶手段に書き込む
ことを特徴とする無線タグ読み取り機能付き機器。
【請求項９】
請求項５乃至請求項８のいずれか１項記載の無線タグ読み取り機能付き機器において、
前記動作手段として、表示を行う表示手段、印字を行う第１印字手段、及び音声発生を行う発音手段のうち、少なくとも１つを備えた、ファックス機能を実行するファックス機、プリンタ機能を実行するプリンタ、コピー機能を実行するコピー機、通話機能を実行する電話機、のいずれかであることを特徴とする無線タグ読み取り機能付き機器。
【請求項１０】
請求項５乃至請求項８のいずれか１項記載の無線タグ読み取り機能付き機器において、
前記動作手段として、表示を行う表示手段、印字を行う第１印字手段、音声発生を行う発音手段のうち、少なくとも１つを備えた、プリンタ・コピー機能を備える複合機であることを特徴とする無線タグ読み取り機能付き機器。
【請求項１１】
請求項９又は請求項１０記載の無線タグ読み取り機能付き機器において、
前記動作設定情報及び前記個人設定情報は、
前記表示手段で表示する表示文字の大きさ設定情報、前記第１印字手段で印字する印字文字の大きさ設定情報、前記発音手段で発生する音声の大きさ設定情報のうち、少なくとも１つの設定情報を含む
ことを特徴とする無線タグ読み取り機能付き機器。
【請求項１２】
請求項５乃至請求項８のいずれか１項記載の無線タグ読み取り機能付き機器において、
被印字媒体を搬送する搬送手段と、
前記被印字媒体に印字を行う前記動作手段としての第２印字手段と
を有し、
前記第２印字手段により前記印字が行われた前記被印字媒体を用いて印字ラベルを作成するラベル作成機能を実行する、印字ラベル作成装置であることを特徴とする無線タグ読み取り機能付き機器。
【請求項１３】
請求項１２記載の無線タグ読み取り機能付き機器において、
前記動作設定情報及び前記個人設定情報は、
前記第２印字手段が前記被印字媒体に印字するテキストデータと、当該テキストデータの書体情報と
を含むことを特徴とする無線タグ読み取り機能付き機器。
【請求項１４】
請求項１３記載の無線タグ読み取り機能付き機器において、
前記動作設定情報及び前記個人設定情報は、
前記第２印字手段が前記被印字媒体に印字するテキストデータの装飾情報をさらに含む
ことを特徴とする無線タグ読み取り機能付き機器。
【請求項１５】
請求項９乃至請求項１４のいずれか１項記載の無線タグ読み取り機能付き機器において、
前記無線タグは、
前記復帰条件が、前記ファックス機能、前記プリンタ機能、前記コピー機能、前記通話機能、及び前記ラベル作成機能のいずれかに対応して、前記作業量条件、前記時間条件、前記無線タグ通信条件、及び前記無線タグ非通信条件のいずれかに設定された、前記復帰条件情報を記憶している
ことを特徴とする無線タグ読み取り機能付き機器。
【発明の詳細な説明】
【技術分野】
【０００１】
本発明は、無線通信を介し無線タグに対し情報読み取り可能な無線タグ読み取り機能付き機器に関する。
【背景技術】
【０００２】
従来より、種々の電子機器において、機器の設定や状態などを表示装置に表示することによって操作者に知らせたり、操作者からの指示をスイッチ等の入力装置から入力したりしている。こうした電子機器では、操作者が使いやすいように報知方法や入力方法などの操作者インターフェースを設計している。このような操作者インターフェースを、操作者によって設定可能とした電子機器も既に提唱されている（例えば、特許文献１参照）。
【特許文献１】特開２００４−３２０８６号公報
【発明の開示】
【発明が解決しようとする課題】
【０００３】
上記従来技術においては、例えば、複数の言語による報知を可能に構成した電子機器で、報知動作時の言語を操作者が設定可能としたものや、操作者ごとに動作設定を可能とした技術が開示されている。また例えば、ファックスやプリンタなどといった電子機器において、現在の通信状況、印刷状況、設定内容などの報知動作に関して、操作者の好みに応じた動作設定を可能として、使い勝手を向上させたものも開示されている。
【０００４】
しかしながら、上記従来の電子機器では、各人が自己の好みの動作設定とするために、機器上のパネル等を操作して操作者個人ごとに好みの動作設定を行ったり、予め機器に設定しておいた操作者個人ごとの動作設定を呼び出して利用する必要があり、その手間が煩雑であった。さらに、例えば会社や家庭等において複数名で機器を共同で利用している場合、前述のようにパネル操作や呼び出しを行って個人好みの動作設定に変更して実際に機器を利用した後は、他者に迷惑をかけないために、変更前の元の動作設定（例えば共有用の一般的な動作設定、標準動作設定、初期動作設定等）に戻さなければならない。上記従来技術においては、このような元の動作設定へ容易に復帰できるようにすることについて、特に配慮されていないという問題もあった。
【０００５】
本発明の目的は、操作者個人にとって便利な動作設定を容易に実現できるとともに、元の動作設定へも容易に復帰できる、無線タグ読み取り機能付き機器を提供することにある。
【課題を解決するための手段】
【０００６】
上記目的を達成するために、第１の発明は、所定の動作を行う動作手段と、前記動作手段の前記所定の動作に関する動作設定情報を記憶可能な設定記憶手段と、前記設定記憶手段の記憶内容に基づき、前記動作手段を制御する制御手段とを有する無線タグ読み取り機能付き機器であって、前記動作手段の前記所定の動作に関する個人設定情報と前記動作手段が前記個人設定情報に応じた動作を行った後の復帰条件情報とを記憶保持した、無線タグとの間で無線通信により情報の送受信を行うアンテナ手段と、前記アンテナ手段を介し、無線通信により前記無線タグから、少なくとも前記個人設定情報及び前記復帰条件情報を含む情報を取得する情報取得手段と、前記情報取得手段が前記個人設定情報を取得したことに応じて、前記設定記憶手段に記憶されていた前記動作設定情報を前記設定記憶手段外に退避処理するとともに、前記取得された前記個人設定情報を前記設定記憶手段に書き込む、設定変更手段と、前記制御手段の制御により前記動作手段が前記設定記憶手段に書き込まれた前記個人設定情報に応じた動作を行った後、前記情報取得手段で取得された前記復帰条件情報に対応した復帰条件が満たされた場合、前記退避処理されていた前記動作設定情報を前記設定記憶手段内に復帰処理する設定復帰手段とを有することを特徴とする。
【０００７】
本願第１発明の無線タグ読み取り機能付き機器においては、設定記憶手段に動作手段の動作設定情報が記憶され、その記憶された動作設定情報に応じて制御手段が動作手段を制御することで、動作手段が当該動作設定情報に対応した態様で所定の動作を行う。
【０００８】
このような通常の動作状態において、本願第１発明の無線タグ読み取り機能付き機器では、個人設定情報を記憶保持した無線タグから情報を読み取ることにより上記通常の動作状態から一時的に離脱し、当該個人設定情報に対応した動作を行わせることができる。すなわち、情報取得手段がアンテナ手段を介して無線タグより個人設定情報を取得すると、設定変更手段がその取得した個人設定情報を設定記憶手段に書き込む。これにより、制御手段は、設定記憶手段に書き込まれた個人設定情報に基づき動作手段を制御するので、動作手段は個人設定情報に対応した動作を行う。なおこのとき、設定変更手段によって、もともと設定記憶手段に記憶されていた動作設定情報は、設定記憶手段外に退避処理されている。
【０００９】
そして、上記個人設定情報に基づく動作手段の動作が終了した後、設定復帰手段が、上記退避処理されていた動作設定情報を設定記憶手段内に復帰処理する。これにより、制御手段は、設定記憶手段に戻った動作設定情報に基づき再び動作手段を制御することとなるので、動作手段は上記通常の動作状態に戻ることができる。また、このときの復帰条件も無線タグに記憶されており、情報取得手段がアンテナ手段を介して無線タグより復帰条件情報を取得し、設定復帰手段はその取得した復帰条件情報に含まれる復帰条件が満たされたときに、上記復帰処理を行う。
【００１０】
以上のようにして、本願第１発明においては、操作者個人の用途や嗜好等に対応した動作手段の設定を個人設定情報として無線タグに記憶させておけば、その無線タグに対し情報読み取りを行わせるという簡単な操作で、上記個人的な設定に対応した態様で動作手段を動作させることができる。また、所望の復帰条件を無線タグに記憶させておくことで、上記のような動作を行わせた後、所望のタイミングで元の動作手段の設定に容易に復帰させることができる。これにより、複数名で共同で機器を利用する場合であっても、操作者個人にとって便利な態様で（他者に迷惑をかけることなく）確実に利用することができ、利便性を向上することができる。
【００１１】
第２発明は、上記第１発明において、前記設定変更手段は、前記退避処理として、前記設定記憶手段に記憶されていた前記動作設定情報を、退避用記憶手段に書き込み、前記設定復帰手段は、前記復帰処理として、前記退避用記憶手段に記憶されていた前記動作設定情報を読み取り、前記設定記憶手段に書き込むことを特徴とする。
【００１２】
これにより、無線タグからの情報読み取りによって通常の動作状態から一時的に離脱し、動作手段が個人設定情報に対応した動作を行うとき、もともと設定記憶手段に記憶されていた動作設定情報を退避用記憶手段に退避させて保管しておくことができる。そして、個人設定情報に基づく動作が終了したとき、退避用記憶手段の動作設定情報を設定記憶手段に戻すことで、動作手段を通常の動作状態に確実に復帰させることができる。また、このように無線タグ読み取り機能付き機器の内部のみにおいて動作設定情報の退避及び復帰を行うことにより、機器外部に退避させる場合に生じるおそれのある誤消去や通信エラー等の発生を回避することができ、動作復帰の信頼性を高めることができる。
【００１３】
第３発明は、上記第１発明において、前記設定変更手段は、前記退避処理として、前記設定記憶手段に記憶されていた前記動作設定情報を、前記アンテナ手段を介し無線通信により前記無線タグに書き込み、前記設定復帰手段は、前記復帰処理として、前記無線タグに記憶された前記動作設定情報を前記アンテナ手段を介し無線通信により読み取り、前記設定記憶手段に書き込むことを特徴とする。
【００１４】
これにより、無線タグからの情報読み取りによって通常の動作状態から一時的に離脱し、動作手段が個人設定情報に対応した動作を行うとき、もともと設定記憶手段に記憶されていた動作設定情報を無線タグに退避させて保管しておくことができる。そして、個人設定情報に基づく動作が終了したとき、無線タグに記憶された動作設定情報を再び設定記憶手段に戻すことで、動作手段を通常の動作状態に確実に復帰させることができる。また、このように装置外部の無線タグへ動作設定情報を退避させた後に復帰させることにより、無線タグ読み取り機能付き機器の内部の別のメモリに退避させる場合に比べ、機器内部において必要なメモリ容量を低減することができる。また、外部退避方式とすることで、システムとしての応用性や拡張性を高めることもできる。
【００１５】
第４発明は、上記第３発明において、前記動作手段が前記設定記憶手段に書き込まれた前記個人設定情報に応じた動作を行った後、前記設定復帰手段が前記無線タグから読み取った前記動作設定情報を前記設定記憶手段に書き込む際、前記設定記憶手段の記憶内容を新たな前記個人設定情報として、前記アンテナ手段を介し無線通信により前記無線タグに書き込む個人設定更新手段を有することを特徴とする。
【００１６】
これにより、無線タグから取得された個人設定情報に対応した設定をさらに操作者が変更して動作手段を動作させた場合であっても、その変更後の最新の設定に対応した新たな個人設定情報を個人設定更新手段で無線タグに書き込み、情報を更新することができる。
【００１７】
第５発明は、上記第１乃至第４発明のいずれかにおいて、前記情報取得手段は、前記復帰条件が、前記動作手段により前記所定の動作に係わる所定の作業量が終了した作業量条件である、前記復帰条件情報を取得し、前記設定復帰手段は、前記作業量条件が満たされたら、前記動作設定情報を読み取って前記設定記憶手段に書き込むことを特徴とする。
【００１８】
これにより、個人的な設定に対応した態様で所定の作業量だけ動作させたら、動作手段を元の設定に沿った動作に確実に復帰させることができる。また、当該作業量を、予め、操作者個人の用途や嗜好等に対応した量に適宜に設定して無線タグに記憶させておくことができる。したがって、操作者個人にとって便利な態様で確実に利用することができる。
【００１９】
第６発明は、上記第１乃至第４発明のいずれかにおいて、前記情報取得手段は、前記復帰条件が、前記動作手段により前記個人設定情報に応じた動作を開始後、所定の時間が経過した時間条件である、前記復帰条件情報を取得し、前記設定復帰手段は、前記時間条件が満たされたら、前記動作設定情報を読み取って前記設定記憶手段に書き込むことを特徴とする。
【００２０】
これにより、個人的な設定に対応した態様で所定の時間だけ動作させたら、動作手段を元の設定に沿った動作に確実に復帰させることができる。また、当該時間を、予め、操作者個人の用途や嗜好等に対応した長さに適宜に設定して無線タグに記憶させておくことができる。したがって、操作者個人にとって便利な態様で確実に利用することができる。
【００２１】
第７発明は、上記第１乃至第４発明のいずれかにおいて、前記情報取得手段は、前記復帰条件が、前記動作手段により前記個人設定情報に応じた動作を開始後、前記情報取得手段で前記無線タグの識別情報が取得された無線タグ通信条件である、前記復帰条件情報を取得し、前記設定復帰手段は、前記無線タグ通信条件が満たされたら、前記動作設定情報を読み取って前記設定記憶手段に書き込むことを特徴とする。
【００２２】
これにより、操作者が個人的な設定に対応した態様で動作手段を動作させた後、例えば無線タグを手で持ってアンテナ手段の通信範囲内に位置させることで、動作手段を元の設定に沿った動作に確実に復帰させることができる。したがって、操作者個人にとって便利な態様で確実に利用することができる。
【００２３】
第８発明は、上記第１乃至第４発明のいずれかにおいて、前記情報取得手段は、前記復帰条件が、前記情報取得手段で前記個人設定情報が取得されて前記設定記憶手段に書き込まれ、前記動作手段が当該個人設定情報に応じた動作を開始した後、前記情報取得手段で前記無線タグの識別情報が取得されなくなった無線タグ非通信条件である、前記復帰条件情報を取得し、前記設定復帰手段は、前記無線タグ非通信条件が満たされたら、前記動作設定情報を読み取って前記設定記憶手段に書き込むことを特徴とする。
【００２４】
これにより、操作者が例えば無線タグを手で持ってアンテナ手段の通信範囲内に位置させることで個人的な設定に対応した態様で動作手段を動作させ、その後無線タグをアンテナ手段の通信範囲外に離脱させることで、動作手段を元の設定に沿った動作に確実に復帰させることができる。したがって、操作者個人にとって便利な態様で確実に利用することができる。
【００２５】
第９発明は、上記第５乃至第８発明のいずれかにおいて、前記動作手段として、表示を行う表示手段、印字を行う第１印字手段、及び音声発生を行う発音手段のうち、少なくとも１つを備えた、ファックス機能を実行するファックス機、プリンタ機能を実行するプリンタ、コピー機能を実行するコピー機、通話機能を実行する電話機、のいずれかであることを特徴とする。
【００２６】
これにより、ファックス機、プリンタ、コピー機、電話機等の、表示動作、印字動作、発音動作について、操作者個人の用途や嗜好等に対応した態様で動作させ、所望のタイミングで元の態様の動作に復帰させることができる。
【００２７】
第１０発明は、上記第５乃至第８発明のいずれかにおいて、前記動作手段として、表示を行う表示手段、印字を行う第１印字手段、音声発生を行う発音手段のうち、少なくとも１つを備えた、プリンタ・コピー機能を備える複合機であることを特徴とする。
【００２８】
これにより、プリンタ・コピー機能を併せ持つ複合機における、表示動作、印字動作、発音動作について、操作者個人の用途や嗜好等に対応した態様で動作させ、所望のタイミングで元の態様の動作に復帰させることができる。
【００２９】
第１１発明は、上記第９又は第１０発明において、前記動作設定情報及び前記個人設定情報は、前記表示手段で表示する表示文字の大きさ設定情報、前記第１印字手段で印字する印字文字の大きさ設定情報、前記発音手段で発生する音声の大きさ設定情報のうち、少なくとも１つの設定情報を含むことを特徴とする。
【００３０】
これにより、表示文字の大きさや印字文字の大きさや音声の大きさに関する設定を、無線タグを用いることで操作者個人の用途や嗜好等に対応した設定に一時的に変更し、その後、再び元の設定に戻すことができる。
【００３１】
第１２発明は、上記第５乃至第８発明のいずれかにおいて、被印字媒体を搬送する搬送手段と、前記被印字媒体に印字を行う前記動作手段としての第２印字手段とを有し、前記第２印字手段により前記印字が行われた前記被印字媒体を用いて印字ラベルを作成するラベル作成機能を実行する、印字ラベル作成装置であることを特徴とする。
【００３２】
これにより、被印字媒体に印字して印字ラベルを作成する印字ラベル作成装置における、第２印字手段の印字動作を、操作者個人の用途や嗜好等に対応した態様で動作させ、所望のタイミングで元の態様の動作に復帰させることができる。
【００３３】
第１３発明は、上記第１２発明において、前記動作設定情報及び前記個人設定情報は、前記第２印字手段が前記被印字媒体に印字するテキストデータと、当該テキストデータの書体情報とを含むことを特徴とする。
【００３４】
これにより、印字するテキストの内容やそのテキストの書体（明朝体などのフォント、太字・斜体等のスタイル、サイズ等）に関する設定を、無線タグを用いることで操作者個人の用途や嗜好等に対応した設定に一時的に変更し、その後、再び元の設定に戻すことができる。
【００３５】
第１４発明は、上記第１３発明において、前記動作設定情報及び前記個人設定情報は、前記第２印字手段が前記被印字媒体に印字するテキストデータの装飾情報をさらに含むことを特徴とする。
【００３６】
これにより、印字するテキストの装飾（下線、枠などの文字飾り等）に関する設定を、無線タグを用いることで操作者個人の用途や嗜好等に対応した設定に一時的に変更し、その後、再び元の設定に戻すことができる。
【００３７】
第１５発明は、上記第９乃至第１４発明のいずれか１つにおいて、前記無線タグは、前記復帰条件が、前記ファックス機能、前記プリンタ機能、前記コピー機能、前記通話機能、及び前記ラベル作成機能のいずれかに対応して、前記作業量条件、前記時間条件、前記無線タグ通信条件、及び前記無線タグ非通信条件のいずれかに設定された、前記復帰条件情報を記憶していることを特徴とする。
【００３８】
これにより、元の態様の動作に復帰するタイミングを、ファックス機能、プリンタ機能、コピー機能、通話機能、ラベル作成機能のいずれの機能を利用するかに応じて変えることができる。この結果、操作者の用途等に応じたさらにきめの細かい設定が可能となり、利便性をさらに向上することができる。
【発明の効果】
【００３９】
本発明によれば、操作者個人にとって便利な動作設定を容易に実現できるとともに、元の動作設定へも容易に復帰させることができる。
【発明を実施するための最良の形態】
【００４０】
以下、本発明の一実施の形態を図面を参照しつつ説明する。
【００４１】
図１は、本実施形態の無線タグ読み取り機能付き機器である複合機の全体概略構成を表す斜視図である。
【００４２】
図１において、複合機２（無線タグ読み取り機能付き機器）は、この例ではファックス機能、プリンタ機能、コピー機能、及び通話機能の４つの機能を備えている（なお、ファックス機能や通話機能が省略されていてもよい）。また、複合機２は、複合機本体７と、この複合機本体７にケーブル８（例えばＵＳＢケーブル等。無線でもよい）を介して接続されているアンテナ９（アンテナ手段）とを有している。
【００４３】
複合機本体７は、概略的に幅の広い薄型の直方体形状に形成されており、下部にプリンタ部４を、上部にスキャナ部５を、側面に受話器６を一体的に備えている。
【００４４】
プリンタ部４の正面には、開口部４ａが形成されており、この開口部４ａの内部にはハンドル１１ａを有する給紙トレイ１１及び排紙トレイ１２が上下２段で着脱可能に設けられている。給紙トレイ１１は、被記録媒体である記録用紙を収納するためのものであり、各種サイズの記録用紙が収納可能である。この給紙トレイ１１に収納された記録用紙がプリンタ部４の内部に給送され、プリンタ部４によって画像・文字の印刷・印字が行われて排紙トレイ１２に排出される。
【００４５】
スキャナ部５は、いわゆるフラットベッドスキャナとして構成されたものである。このスキャナ部５には、複合機本体７の天板として開閉自在に設けられた原稿カバー５Ａの下側に原稿を載置するプラテンガラス（図示せず）と、このプラテンガラスの下側で走査可能なイメージセンサ（図示せず）とが設けられている。
【００４６】
複合機本体７の側面には、架台１４が設けられている。この架台１４には、接続コード１５を介して複合機本体７に接続されている上記受話器６が載置されている。
【００４７】
複合機本体７の正面上部には、操作パネル１３が設けられている。操作パネル１３には、液晶ディスプレイからなる表示部１０と、各種操作を行うための操作部３とが設けられている。
【００４８】
アンテナ９は、この例ではカード形状に形成され個人設定情報及び復帰条件情報（それぞれ詳細は図６で後述する）を記憶保持したタグカードＴ（無線タグ）との間で無線通信により情報の送受信を行う。なお、無線タグは、個人設定情報を記憶していれば、カード形状ではなく、ラベル形状などその他の形状、態様であってもよい。
【００４９】
図２は、複合機２の機能的構成を表す機能ブロック図である。
【００５０】
図２において、複合機２は、この例では上述したように４つの機能（ファックス機能、プリンタ機能、コピー機能、及び通話機能）を備えており、複合機本体７と、アンテナ９とを有している。
【００５１】
複合機本体７は、電話回線通信制御部２２と、ネットワーク通信制御部２３と、上記スキャナ部５と、表示を行う表示部１０（表示手段）、印字を行う印字部２７（第１印字手段）、及び音声発生を行う音声発生部２８（発音手段）と、上記操作部３とを備えている。またさらに、複合機本体７は、上記表示部１０、印字部２７、音声発生部２８、スキャナ部５、電話回線通信制御部２２、ネットワーク通信制御部２３（以下適宜、省略して「表示部１０等」と称する）等からなる動作手段の所定の動作に関する動作設定情報（詳細は図５で後述する）を記憶可能な主メモリ２４（設定記憶手段）と、退避用メモリ３０（退避用記憶手段）と、ＲＦ通信制御部２９と、ＣＰＵ２１とを備えている。
【００５２】
電話回線通信制御部２２は、上記所定の動作として、電話回線網に接続して通話機能の音声信号又はファックス機能の情報信号の送受を行う。ネットワーク通信制御部２３は、上記所定の動作として、ＬＡＮなどのネットワーク回線に接続してコンピュータ等との間に各種の指示信号や印刷画像情報又は読み取り画像情報の送受を行う。
【００５３】
スキャナ部５は、上記所定の動作として、上記プラテンガラス及びイメージスキャナを有して原稿の画像を読み取る。表示部１０は、上記所定の動作として、各種情報やメッセージの表示を行う。印字部２７は、上記プリンタ部４から構成され、上記所定の動作として、画像情報及び印字情報の印字を行う。音声発生部２８は、上記所定の動作として、電話の着信音や各種の報知音を発音（音声発生）する。
【００５４】
操作部３は、操作者から上記表示部１０での表示動作、印字部２７での印字動作、及び音声発生部２８での発音動作に関する動作設定等が入力される。
【００５５】
主メモリ２４は、例えばＲＡＭやＲＯＭ等から構成され、上記動作設定情報を記憶している。退避用メモリ３０は、例えばＲＡＭ等から構成され、上記主メモリ２４に記憶されていた動作設定情報を、退避処理として一時的に記憶させるためのものである。
【００５６】
ＲＦ通信制御部２９は、上記アンテナ９を介して、タグカードＴに備えられた無線タグ回路素子ＴｏのＩＣ回路部１５０の情報へアクセスする（詳細は後述する）。
【００５７】
ＣＰＵ２１は、主メモリ２４の記憶内容（上記の動作設定情報）に基づき、上記表示部１０等を含む複合機２全体の動作を制御する。具体的には、主メモリ２４を構成するＲＡＭの一時記憶機能を利用しつつＲＯＭに予め記憶されたプログラムに従って信号処理を行う。
【００５８】
また、タグカードＴは、情報を記憶するＩＣ回路部１５０と情報を送受信するタグアンテナ１５１とを備えた無線タグ回路素子Ｔｏが設けられており、上記アンテナ９と無線通信により情報の送受信を行うことができる（無線タグ回路素子Ｔｏの詳細構造については後述する）。そして、ＩＣ回路部１５０に、上記表示部１０等の所定の動作（表示動作、印字動作、発音動作等）に関する個人設定情報と、上記表示部１０等が上記個人設定情報に応じた動作を行った後の復帰条件情報（詳細は後述）とを記憶保持している。この個人設定情報は、上記主メモリ２４に記憶された動作設定情報と同様、上記表示部１０等の動作に関する各種設定を表すものである。そして特に、個人設定情報は、タグカードＴの所有者（操作者）の好みや利用態様に対し便利なように、個人的にカスタマイズされた動作設定に関する情報である。
【００５９】
上記の複合機２において、ファックス機能の使用時には電話回線通信制御部２２によって電話回線網から受信した画像情報を印字部２７で印字するか、スキャナ部５で読み取った画像情報を電話回線通信制御部２２によって電話回線網へ送信する。プリンタ機能の使用時には、ネットワーク通信制御部２３によってネットワーク回線から受信した印字情報を印字部２７で印字する。コピー機能の使用時には、スキャナ部５から読み取った画像情報を印字部２７で印字する。通話機能の使用時には受話器６と電話回線通信制御部２２によって電話回線網との間で音声信号を送受する。また、上記以外にも、各機能の使用時には、表示部１０に各種のメッセージや情報を表示させたり、音声発生部２８から各種の報知音を発音させる。
【００６０】
また、上記の複合機２において、操作者がタグカードＴをアンテナ９の近傍にかざした状態で所定の開始操作を行うことで（あるいはかざしただけで）、アンテナ９を介して、タグカードＴの無線タグ回路素子Ｔｏから上記個人設定情報及び復帰条件情報を含む情報の読み取り（取得）を行う。さらに、複合機２は、アンテナ９を介して、タグカードＴの無線タグ回路素子Ｔｏに備えられたＩＣ回路部１５０に対し、主メモリ２４に記憶されている上記動作設定情報（あるいは、個人設定情報）の書き込みを行うこともできる。
【００６１】
図３は、上記複合機２におけるＲＦ通信制御部２９の詳細構造を表す機能ブロック図である。なお、図中に示す矢印は信号の流れの一例を示すものであり、信号の流れ方向を限定するものではない。
【００６２】
図３において、ＣＰＵ２１は、上記無線タグ回路素子ＴｏのＩＣ回路部１５０から読み出された信号を処理して情報を読み出すとともに、無線タグ回路素子ＴｏのＩＣ回路部１５０へアクセスするための各種コマンドを生成する。ＲＦ通信制御部２９は、アンテナ９を介し無線タグ回路素子Ｔｏに対して信号を送信する送信部２１２と、アンテナ９により受信された無線タグ回路素子Ｔｏからの応答波を入力する受信部２１３と、送受分離器２１４とから構成される。
【００６３】
送信部２１２は、無線タグ回路素子ＴｏのＩＣ回路部１５０の無線タグ情報にアクセスするための質問波を生成するブロックである。すなわち、送信部２１２は、周波数の基準信号を出力する水晶振動子２１５Ａと、複合機本体７のＣＰＵ２１の制御により水晶振動子２１５Ａの出力を分周／逓倍して所定周波数の搬送波を発生させるＰＬＬ（Ｐｈａｓｅ  Ｌｏｃｋｅｄ  Ｌｏｏｐ）２１５Ｂ及びＶＣＯ（Ｖｏｌｔａｇｅ  Ｃｏｎｔｒｏｌｌｅｄ  Ｏｓｃｉｌｌａｔｏｒ）２１５Ｃと、上記ＣＰＵ２１から供給される信号に基づいて上記発生させられた搬送波を変調（この例ではＣＰＵ２１からの「ＴＸ＿ＡＳＫ」信号に基づく振幅変調）する送信乗算回路２１６（振幅変調の場合は増幅率可変アンプ等を用いてもよい）と、その送信乗算回路２１６により変調された変調波を増幅（この例ではＣＰＵ２１からの「ＴＸ＿ＰＷＲ」信号によって増幅率を決定される増幅）して所望の質問波を生成するゲイン制御送信アンプ２１７とを備えている。そして、上記発生される搬送波は、例えばＵＨＦ帯（又はマイクロ波帯、あるいは短波帯でもよい）の周波数を用いており、上記ゲイン制御送信アンプ２１７の出力は、送受分離器２１４を介しアンテナ９に伝達されて無線タグ回路素子ＴｏのＩＣ回路部１５０に供給される。なお、質問波は上記のように変調した信号（変調波）に限られず、単なる搬送波のみの場合もある。
【００６４】
受信部２１３は、アンテナ９で受信された無線タグ回路素子Ｔｏからの応答波と上記搬送波とを乗算して復調するＩ相受信乗算回路２１８と、そのＩ相受信乗算回路２１８の出力から必要な帯域の信号のみを取り出すためのＩ相バンドパスフィルタ２１９と、このＩ相バンドパスフィルタ２１９の出力を増幅するＩ相受信アンプ２２１と、このＩ相受信アンプ２２１の出力をさらに増幅してデジタル信号に変換するＩ相リミッタ２２０と、上記アンテナ９で受信された無線タグ回路素子Ｔｏからの応答波と上記搬送波が移相器２２７により位相を９０°遅らせた信号とを乗算するＱ相受信乗算回路２２２と、そのＱ相受信乗算回路２２２の出力から必要な帯域の信号のみを取り出すためのＱ相バンドパスフィルタ２２３と、このＱ相バンドパスフィルタ２２３の出力を増幅するＱ相受信アンプ２２５と、このＱ相受信アンプ２２５の出力をさらに増幅してデジタル信号に変換するＱ相リミッタ２２４とを備えている。そして、上記Ｉ相リミッタ２２０から出力される信号「ＲＸＳ−Ｉ」及びＱ相リミッタ２２４から出力される信号「ＲＸＳ−Ｑ」は、上記ＣＰＵ２１に入力されて処理される。
【００６５】
また、Ｉ相受信アンプ２２１及びＱ相受信アンプ２２５の出力は、強度検出手段としてのＲＳＳＩ（Ｒｅｃｅｉｖｅｄ  Ｓｉｇｎａｌ  Ｓｔｒｅｎｇｔｈ  Ｉｎｄｉｃａｔｏｒ）回路２２６にも入力され、それらの信号の強度を示す信号「ＲＳＳＩ」がＣＰＵ２１に入力される。これにより、複合機本体７では、無線タグ回路素子Ｔｏとの通信時における当該無線タグ回路素子Ｔｏからの信号の受信強度を検出することが可能となっている。
【００６６】
図４は、上記タグカードＴに備えられる無線タグ回路素子Ｔｏの機能的構成の一例を表す機能ブロック図である。なお、図中に示す矢印は信号の流れの一例を示すものであり、信号の流れ方向を限定するものではない。
【００６７】
図４において、無線タグ回路素子Ｔｏは、上述したように複合機２のアンテナ９と非接触で信号の送受信を行うタグアンテナ１５１と、このタグアンテナ１５１に接続されたＩＣ回路部１５０とを有している。
【００６８】
ＩＣ回路部１５０は、タグアンテナ１５１により受信された質問波を整流する整流部１５２と、この整流部１５２により整流された質問波のエネルギを蓄積し駆動電源とするための電源部１５３と、上記タグアンテナ１５１により受信された質問波からクロック信号を抽出して制御部１５７に供給するクロック抽出部１５４と、所定の情報信号を記憶し得るメモリ部１５５と、上記タグアンテナ１５１に接続された変復調部１５６と、上記メモリ部１５５、クロック抽出部１５４、及び変復調部１５６等を介し上記無線タグ回路素子Ｔｏの作動を制御するための制御部１５７とを備えている。
【００６９】
変復調部１５６は、タグアンテナ１５１により受信された上記複合機２のアンテナ９からの質問波の復調を行い、また、上記制御部１５７からの返信信号を変調し、タグアンテナ１５１より応答波（タグ識別情報であるタグＩＤを含む信号）として送信する。
【００７０】
クロック抽出部１５４は、受信した信号からクロック成分を抽出し、当該クロック成分の周波数に対応したクロックを制御部１５７に供給する。
【００７１】
制御部１５７は、上記変復調部１５６により復調された受信信号を解釈し、上記メモリ部１５５において記憶された情報信号に基づいて返信信号を生成し、この返信信号を上記変復調部１５６により上記タグアンテナ１５１から返信する制御等の基本的な制御を実行する。
【００７２】
メモリ部１５５は、図示しない無線タグ書き込み装置（あるいは、上記複合機２でもよい）により書き込まれた上記個人設定情報、上記復帰条件情報、及び上記タグＩＤ等を記憶保持している。
【００７３】
以上において、本実施形態では、その大きな特徴として、タグカードＴに記憶している上記個人設定情報をアンテナ９より読み取らせることで、主メモリ２４に記憶されていた動作設定情報を退避させて上記個人設定情報に置き換え、これによって表示部１０等が当該個人設定情報に応じた動作を行う。また、このような動作を行わせた後は、タグカードＴから取得された上記復帰条件情報に対応した復帰条件が満たされた場合、上記退避させていた動作設定情報を、主メモリ２４内に復帰させる。以下、その詳細を順を追って説明する。
【００７４】
まず、本実施形態の例において、上記主メモリ２４に記憶されている動作設定情報について説明する。
【００７５】
既に述べたように、動作設定情報とは、操作者が複合機２を利用する際に、もともと複合機２の主メモリ２４に記憶されていた、表示部１０での表示動作、印字部２７での印字動作、音声発生部２８での発音動作、スキャナ部５での光学読み取り動作、電話回線通信制御部２２での電話回線網を介した所望の番号への接続及び信号送受動作、ネットワーク通信制御部２３でのネットワーク回線を介した所望のアドレスへの接続及び信号送受動作、等に関する動作態様の設定情報である。例えば、複合機２の管理者等により予めデフォルト設定された設定情報（共有用の一般的な動作設定、標準動作設定、初期動作設定等）が含まれる。複合機２の前回（以前）の操作者が設定していた設定情報を含むようにしてもよい。
【００７６】
図５は、（後述の「通常の動作状態」において）複合機２の主メモリ２４に記憶されている動作設定情報の一例を概念的に表す図である。
【００７７】
図５において、この例では、上記動作設定情報は、複合機２の４つの機能（通話機能、ファックス機能、プリンタ機能、及びコピー機能）ごとに、当該機能に関係する上記各種動作（表示部１０での表示動作、印字部２７での印字動作、及び音声発生部２８での発音動作）の設定情報を含んでいる。
【００７８】
通話機能用の動作設定情報としては、表示部１０での表示動作、音声発生部２８での発音動作に関する設定情報が含まれている。すなわち、この例では、表示部１０で表示する表示文字の大きさ設定情報として、表示文字サイズが「１０ポイント」に設定されている。音声発生部２８で発生する音声のパターン設定情報として、着信を知らせる音声パターン（着信報知音パターン）が所定の「パターン１」に設定され、音声発生部２８で発生する音声の大きさ設定情報として、着信報知音音量が「１０」に設定されている。なお、上記以外に、例えば音声発生部２８での発音動作に関して通話音量の設定や、電話回線通信制御部２２での接続動作に関して接続先（通話相手）の番号の設定等を行うようにしてもよい。
【００７９】
ファックス機能用の動作設定情報としては、表示部１０での表示動作、印字部２７での印字動作、及び音声発生部２８での発音動作に関する設定情報が含まれている。すなわち、この例では、上記表示文字サイズが「１０ポイント」に設定され、印字部２７で印字する印字文字の大きさ設定情報として、印字文字サイズが「１０ポイント」に設定されている。上記音声発生部２８で発生する音声のパターン設定情報として、ファックス送信（又は受信）完了を知らせる音声パターン（完了報知音パターン）が所定の「パターン１」に設定され、上記音声発生部２８で発生する音声の大きさ設定情報として、完了報知音音量が「１０」に設定されている。なお、上記以外に、例えば電話回線通信制御部２２での接続動作に関して接続先（送信相手）の番号の設定や、表示部１０での表示動作に関して送信結果の表示有無の設定等を行うようにしてもよい。
【００８０】
プリンタ機能用の動作設定情報としては、表示部１０での表示動作、印字部２７での印字動作、及び音声発生部２８での発音動作に関する設定情報が含まれている。すなわち、この例では、上記表示文字サイズが「１０ポイント」に設定され、上記印字文字サイズが「１０ポイント」に設定されている。上記音声発生部２８で発生する音声のパターン設定情報として、プリントアウト完了を知らせる音声パターン（完了報知音パターン）が所定の「パターン１」に設定され、上記完了報知音音量が「１０」に設定されている。なお、上記以外に、例えば印字部２７での印字動作に関し、印刷モード（デジカメ画像印刷モード、通常モード、ファインモード等）の設定や色（カラー／モノクロ）の設定や、用紙サイズ（Ａ４版、Ｂ５版等）の設定等を行うようにしてもよい。
【００８１】
コピー機能用の動作設定情報としては、表示部１０での表示動作、印字部２７での印字動作、及び音声発生部２８での発音動作に関する設定情報が含まれている。すなわち、この例では、上記表示文字サイズが「１０ポイント」に設定され、上記印字文字サイズが「１０ポイント」に設定されている。上記音声発生部２８で発生する音声のパターン設定情報として、コピー完了を知らせる音声のパターン（完了報知音パターン）が所定の「パターン１」に設定され、上記完了報知音音量が「１０」に設定されている。なお、上記以外に、例えば印字部２７での印字動作及びスキャナ部５のスキャン動作に関し、色（カラー／モノクロ）の設定や、用紙サイズ（Ａ４版、Ｂ５版等）の設定や、拡大・縮小コピーの設定や、コピー部数の設定等を行うようにしてもよい。
【００８２】
以上のように、タグカードＴから個人設定情報が読み取られていない状態（以下適宜、「通常の動作状態」と称する）では、（主メモリ２４に記憶されている上記のような動作設定情報に応じてＣＰＵ２１が表示部１０等を制御することで、表示部１０等は当該動作設定情報に対応した態様でそれぞれの動作を行う。
【００８３】
次に、上記タグカードＴの無線タグ回路素子Ｔｏに記憶されている情報について説明する。
【００８４】
既に述べたように、個人設定情報とは、上記表示部１０での表示動作、印字部２７での印字動作、及び音声発生部２８での発音動作に関する動作態様を、操作者個人の用途や嗜好等に対応して個人的にカスタマイズした設定情報である。
【００８５】
また、復帰条件情報とは、上記表示部１０等が上記個人設定情報に応じた動作を行った後に、主メモリ外（この例では退避用メモリ３０）に退避させていた動作設定情報を主メモリ２４に復帰させるための条件（復帰条件）を設定した情報である。
【００８６】
図６は、タグカードＴの無線タグ回路素子Ｔｏに記憶されている情報の一例を概念的に表す図である。
【００８７】
図６において、タグカードＴの無線タグ回路素子Ｔｏ（詳細にはメモリ部１５５）には、タグカードＴの識別情報であるタグＩＤ、上記個人設定情報、上記復帰条件情報が記憶されている。
【００８８】
図６に示す例では、タグカードＴの無線タグ回路素子ＴｏのタグＩＤは「１２３４５」である。また、個人設定情報は、上記図５の動作設定情報と同様、上記各機能ごとに当該機能に関係する上記各種動作の設定情報を含んでおり、復帰条件情報は、各機能に対応して設定された復帰条件を含んでいる。
【００８９】
すなわち、通話機能用の個人設定情報としては、この例では、上記表示文字サイズが「１５ポイント」に設定され、上記着信報知音パターンが上記図５の動作設定情報と同様、所定の「パターン１」に設定され、上記着信報知音音量が「１５」に設定されている。
【００９０】
通話機能用の復帰条件情報としては、この例では、復帰条件が、個人設定情報に応じた動作開始後におけるタグＩＤ（この例では「１２３４５」）の取得、という『無線タグ通信条件』に設定されている。この無線タグ通信条件が設定されている場合では、操作者が上記個人設定情報に応じた態様で表示部１０等を動作させた後に（言い換えれば、上記個人設定情報に応じた態様で機能を開始させた後に）、タグカードＴをアンテナ９の通信範囲内にかざすことで、上記通常の動作状態（＝元の設定）に戻る。
【００９１】
ファックス機能用の個人設定情報としては、この例では、上記表示文字サイズが「１５ポイント」に設定され、上記印字文字サイズが「１５ポイント」に設定され、上記完了報知音パターンが所定の「パターン２」に設定され、上記完了報知音音量が「１５」に設定されている。
【００９２】
ファックス機能用の復帰条件情報としては、この例では、復帰条件が、個人設定情報に応じた動作開始後における所定の時間（この例では１０秒）の経過、という『時間条件』に設定されている。この時間条件が設定されている場合では、操作者が上記個人設定情報に応じた態様で表示部１０等を上記１０秒だけ動作させたら、自動的に上記通常の動作状態に戻る。
【００９３】
プリンタ機能用の個人設定情報としては、この例では、上記表示文字サイズが「１５ポイント」に設定され、上記印字文字サイズが「１５ポイント」に設定され、上記完了報知音パターンが所定の「パターン３」に設定され、上記完了報知音音量が「１５」に設定されている。
【００９４】
プリンタ機能用の復帰条件情報としては、この例では、復帰条件が、個人設定に応じた動作開始後においてタグＩＤ（この例では「１２３４５」）が取得されなくなったこと、という『無線タグ非通信条件』に設定されている。この無線タグ非通信条件が設定されている場合では、操作者が上記個人設定情報に応じた態様で表示部１０等を動作させ、その後タグカードＴをアンテナ９の通信範囲外に離脱させることで、上記通常の動作状態に戻る。
【００９５】
コピー機能用の個人設定情報としては、この例では、上記表示文字サイズが「１５ポイント」に設定され、上記印字文字サイズが「１５ポイント」に設定され、上記完了報知音パターンが所定の「パターン４」に設定され、上記完了報知音音量が「１５」に設定されている。
【００９６】
コピー機能用の復帰条件情報としては、この例では、復帰条件が、表示部１０等による動作に係わる所定の作業量（この例では、コピー１回）の終了、という『作業量条件』に設定されている。この作業量条件に設定されている場合では、操作者が上記個人設定情報に応じた態様で表示部１０等を上記コピー動作１回分だけ動作させたら、自動的に上記通常の動作状態に戻る。
【００９７】
上記のような情報（タグＩＤ、個人設定情報、及び復帰条件情報）を記憶保持したタグカードＴから、アンテナ９を介して当該情報を読み取ることにより、表示部１０等は、上記図５に示したような動作設定情報に対応した通常の動作状態から一時的に離脱し、当該個人設定情報に対応した動作を行う。具体的には、タグカードＴから上記情報を、アンテナ９を介して読み取ると、その取得した当該情報に含まれる個人設定情報が主メモリ２４に書き込まれる（このとき、主メモリ２４に記憶されていた動作設定情報は退避用メモリ３０に一時的に退避される）。これにより、上記主メモリ２４に書き込まれた個人設定情報に応じてＣＰＵ２１が表示部１０等を制御することで、表示部１０等は当該個人設定情報に対応した態様で対応する動作を行う。そして、上記個人設定情報に基づく動作が終了した後、上記取得した復帰条件情報に含まれる各復帰条件が満たされたときに、上記退避されていた動作設定情報を主メモリ２４内に復帰させる。これにより、主メモリ２４に戻った動作設定情報に基づいてＣＰＵ２１が再び表示部１０等を制御することとなるので、上記通常の動作状態に戻ることができる。
【００９８】
なお、図５と図６とを対比させると分かるように、この例では、操作者は、全機能における報知音量を自分好みに大きくカスタマイズ（「１０」→「１５」）しており、また表示文字サイズや印字文字サイズも、自分好みに大きなサイズへとカスタマイズ（「１０」ポイント→「１５」ポイント）している。さらに、各機能ごとに報知音パターンを変化させている（全機能一律「パターン１」使用→「パターン１」「パターン２」「パターン３」「パターン４」の機能別４種類使用）。
【００９９】
なお、上記の個人設定情報及び復帰条件情報は、いったんタグカードＴの無線タグ回路素子Ｔｏに書き込まれた後は、書き換え不能となるように記憶されていてもよい。あるいは、書き込み後もアンテナ９を介し無線通信によりさらに書き換え可能としてもよい。
【０１００】
図７は、タグカードＴの無線タグ回路素子Ｔｏに記憶されている情報の他の例を概念的に表す図である。図６と同様の部分は、適宜説明を省略する。
【０１０１】
図７において、この例では、上記図６に示したものと、個人設定情報及び復帰条件情報の内容が異なっている。なお、この例では、タグカードＴの無線タグ回路素子ＴｏのタグＩＤは「２３４５６」である。
【０１０２】
すなわち、図７に示す例では、通話機能用の個人設定情報として、電話回線通信制御部２２による電話発信先が「０３−００００−００００」（接続先設定情報）に設定され、受話器６による通話音量が所定の「大」（音声の大きさ設定情報）に設定されている。通話機能用の復帰条件情報は、上記図６と同様に、上記無線タグ通信条件に設定されている。
【０１０３】
また、ファックス機能用の個人設定情報として、電話回線通信制御部２２によるファックス送信先が「０３−１１１１−１１１１」（接続先設定情報）に設定され、表示部１０によりファックス送信結果表示を「表示する」（表示設定情報）に設定されている。ファックス機能用の復帰条件情報は、上記図６と同様に、上記時間条件（１０秒）に設定されている。
【０１０４】
さらに、プリンタ機能用の個人設定情報として、印字部２７で印字する際の記録用紙の用紙サイズが「Ａ４」（用紙設定情報）に設定され、カラー／モノクロの別が「カラー」（印字色設定情報）に設定され、印刷品質が所定の「ファイン」モード（印字品質設定情報）に設定されている。プリンタ機能用の復帰条件情報は、上記図６と同様に、上記無線タグ非通信条件に設定されている。
【０１０５】
また、コピー機能用の個人設定情報として、印字部２７での印字動作及びスキャナ部５のスキャン動作に関して、上記同様、用紙サイズが「Ａ３」に設定され、カラー／モノクロの別が「モノクロ」に設定されている。さらに、印字部２７での印字動作及びスキャナ部５のスキャン動作に関して、拡大／縮小設定が所定の「Ａ４→Ａ３」（大きさ変更設定情報）に設定され、コピー部数が「１」（枚数設定情報）に設定されている。コピー機能用の復帰条件情報は、上記図６と同様に、上記作業量条件（コピー１回）に設定されている。
【０１０６】
図８（ａ）〜図８（ｄ）は、上述したような個人設定情報及び復帰条件情報を記憶したタグカードＴの表面に印刷表示される印刷表示の一例を表す図である。なおこの例では、上記図７で示した情報（個人設定情報及び復帰条件情報）を記憶保持した各タグカードＴの表面に印刷されている印刷表示例を示している。
【０１０７】
まず、図８（ａ）は、通話機能のタグカードＴの印刷表示例である。タグカードＴの表面には、上記図７で示した通話機能用の情報に対応する印刷が行われている。この例では、印刷領域Ａ１には、通話機能を表す「電話」が印刷されている。印刷領域Ａ２には、通話機能用の個人設定情報の設定内容を表す「発信先：０３−００００−００００」「通話音量：大」が印刷されている。印刷領域Ａ３には、通話機能用の復帰条件情報に含まれる前述の『無線タグ復帰条件』に対応する内容が印刷されている。
【０１０８】
図８（ｂ）は、ファックス機能のタグカードＴの印刷表示例である。タグカードＴの表面には、上記図７で示したファックス機能用の情報に対応する印刷が行われている。この例では、印刷領域Ａ１には、ファックス機能を表す「ＦＡＸ」が印刷されている。印刷領域Ａ２には、ファックス機能用の個人設定情報の設定内容を表す「送信先：０３−１１１１−１１１１」「送信結果：表示する」が印刷されている。印刷領域Ａ３には、ファックス機能用の復帰条件情報に含まれる前述の『時間条件』（１０秒）に対応する内容が印刷されている。
【０１０９】
図８（ｃ）は、プリンタ機能のタグカードＴの印刷表示例である。タグカードＴの表面には、上記図７で示したプリンタ機能用の情報に対応する印刷が行われている。この例では、印刷領域Ａ１には、プリンタ機能を表す「プリンタ」が印刷されている。印刷領域Ａ２には、プリンタ機能用の個人設定情報の設定内容を表す「用紙：Ａ４」「カラープリント」「品質：ファイン」が印刷されている。印刷領域Ａ３には、プリンタ機能用の復帰条件情報に含まれる前述の『無線タグ非通信条件』に対応する内容が印刷されている。
【０１１０】
図８（ｄ）は、コピー機能のタグカードＴの印刷表示例である。タグカードＴの表面には、上記図７で示したコピー機能用の情報に対応する印刷が行われている。この例では、印刷領域Ａ１には、コピー機能を表す「ＣＯＰＹ」が印刷されている。印刷領域Ａ２には、コピー機能用の個人設定情報の設定内容を表す「用紙：Ａ３」「モノクロコピー」「Ａ４→Ａ３」「部数：１部」が印刷されている。印刷領域Ａ３には、コピー機能用の復帰条件情報に含まれる前述の『作業条件』（コピー１回）に対応する内容が印刷されている。
【０１１１】
図９は、複合機本体７のＣＰＵ２１によって実行される制御内容を表すフローチャートである。
【０１１２】
図９において、例えば複合機２の電源が投入されることによって、このフローが開始される（「ＳＴＡＲＴ」位置）。
【０１１３】
まずステップＳ１０では、複合機２の機能（この例では、ファックス機能、プリンタ機能、コピー機能、及び通話機能のいずれか）を選択する操作が、操作者により操作部３を介して行われたか否かを判定する。この判定は、例えば表示部１０に「機能を選択してください」等の操作者の操作を促す表示を行い、これにより操作者が操作部３を介して入力した信号に基づいて行ってもよい。操作者により機能を選択する操作が行われるまでループして待機し、操作者により機能を選択する操作が行われた場合には、判定が満たされてステップＳ２０に移る。
【０１１４】
ステップＳ２０では、主メモリ２４の記憶内容、すなわち、主メモリ２４に記憶されている設定情報（前述の動作設定情報、又はタグカードＴから取得した個人設定情報。後述）に対応した態様で、上記ステップＳ１０（あるいは、後述のステップＳ６０）で選択された機能に関する各種動作を実行させるように動作設定を行う。具体的には、前述したように、表示部１０での表示動作における上記表示文字サイズの設定や、印字部２７での印字動作における上記印字文字サイズの設定や、音声発生部２８での発音動作における音量設定などである。そして、表示部１０に表示信号を出力し、当該動作設定の内容を表示部１０に表示させる。
【０１１５】
その後、ステップＳ３０で、操作者により操作部３を介して、上記ステップＳ２０で行われた動作設定の内容の編集（例えば、「１０ポイント」に設定されていた上記表示文字サイズを「１５ポイント」に変更する等）が行われたか否かを判定する。操作者により上記動作設定の内容の編集が行われた場合には、判定が満たされてステップＳ４０に移る。
【０１１６】
ステップＳ４０では、上記ステップＳ３０で編集された動作設定の内容（編集後の設定情報）を、新たな設定情報として、主メモリ２４に記憶されていた設定情報に上書きし、設定情報の内容を更新する。なお、この新たな設定情報は、操作者が意図的に編集した結果であることから、上述した個人設定情報に該当するものである。その後、ステップＳ２０に戻り同様の手順を繰り返す。
【０１１７】
一方、上記ステップＳ３０において、動作設定の内容の編集が行われていなかった場合には、ステップＳ３０の判定は満たされずステップＳ５０に移る。
【０１１８】
ステップＳ５０では、上記ステップＳ２０で行われた動作設定の内容、言い換えれば、主メモリ２４の記憶内容（＝主メモリ２４に記憶されている設定情報）に基づき、上記ステップＳ１０（あるいは、後述のステップＳ６０）で選択された機能に関する表示部１０等に制御信号を出力する。そして、表示部１０等に、主メモリ２４に記憶されている設定情報に応じた動作、すなわち、上記ステップＳ１０で選択された機能を実行させる（制御手段としての機能）。
【０１１９】
そして、ステップＳ６０では、上記複合機２の機能を選択する操作が終了したか否かを判定する。この判定は、例えば上記ステップＳ１０と同様の操作者の操作を促す表示（例えば「ＦＡＸ作業を終了しますか？」等）を行い、これにより操作者が操作部３を介して入力した信号に基づいて行ってもよい。機能を選択する操作が終了しなかった場合、すなわち、操作者により機能を選択する操作が行われた場合には、判定は満たされず上記ステップＳ２０に戻り、同様の手順を繰り返す。
【０１２０】
一方、例えば上記ステップＳ１０と同様の操作者の操作を促す表示を行った後、所定の時間経過、あるいは操作者によりリセットボタン（図示せず）が操作された等により、機能を選択する操作が終了した場合には、ステップＳ６０の判定が満たされて、このフローを終了する。なお、このフローは、例えば複合機２の電源がオンの間、あるいは所定の終了操作がされるまでの間は、繰り返し継続して実行される。
【０１２１】
なお、上記フローチャートは本発明を上記フローに示す手順に限定するものではなく、発明の趣旨及び技術的思想を逸脱しない範囲内で手順の追加・削除又は順番の変更等をしてもよい。
【０１２２】
図１０は、上記図９のフローと並行して、複合機本体７のＣＰＵ２１によって実行される制御内容を表すフローチャートである。図９のフローが各種機能の実行に係わるものであるのに対し、この図１０のフローは、タグカードＴからの情報読み取り実行に関するものである。このときの処理方法としては、例えばコンピュータのＯＳ等でしばしば行われる「マルチタスク処理」と同様の公知の手法により、図９及び図１０の２つのフローがＣＰＵ２１によって同時並行処理されるようになっている。
【０１２３】
図１０において、例えば複合機２の電源が投入されることによって、このフローが開始される（「ＳＴＡＲＴ」位置）。
【０１２４】
まずステップＳ１００では、ＲＦ通信制御部２９及びアンテナ９を介し、タグカードＴの無線タグ回路素子Ｔｏに対し、情報を読み取るためのタグ読み取り信号を送信し、無線通信により情報の読み取りを行う。
【０１２５】
その後、ステップＳ１２０で、上記ステップＳ１００で送信したタグ読み取り信号に対応して、タグカードＴの無線タグ回路素子Ｔｏから、アンテナ９を介しリプライ信号が受信されたか否かを判定する。具体的には、当該リプライ信号に含まれるタグＩＤが取得されたか否かを判定する。タグカードＴの無線タグ回路素子ＴｏのタグＩＤが取得されなかった場合には、判定は満たされずステップＳ１００に戻り、再び上記タグ読み取り信号の送信を繰り返す。一方、タグカードＴの無線タグ回路素子ＴｏのタグＩＤが取得された場合には、判定が満たされてステップＳ１４０に移る。
【０１２６】
ステップＳ１４０では、上記ステップＳ１２０で受信したリプライ信号より、タグカードＴの無線タグ回路素子Ｔｏに記憶保持されていた上記個人設定情報及び上記復帰条件情報を抽出して取得する（情報取得手段としての機能）。
【０１２７】
そして、ステップＳ１６０で、例えば表示部１０での表示や音声発生部２８での発音等により、上記ステップＳ１４０において個人設定情報及び復帰条件情報の取得が成功したこと報知する。
【０１２８】
その後、ステップＳ１８０で、主メモリ２４に記憶されていた動作設定情報を（主メモリ２４外である）退避用メモリ３０に退避処理（移動して格納）する。なお、主メモリ２４の動作設定情報を移動させるのではなく、複製を作成して退避用メモリ３０に格納するようにしてもよい（以下の退避処理、復帰処理についてすべて同様）。
【０１２９】
そして、ステップＳ２００で、上記ステップＳ１４０で取得された個人設定情報を主メモリ２４に書き込む。すなわち、ステップＳ１８０での移動により動作設定情報が空になった主メモリ２４に対し、動作設定情報を置き換えるように個人設定情報が書き込まれることとなる。これにより、前述したように、表示部１０等は、この主メモリ２４に記憶された個人設定情報に応じた動作を行うこととなる（前述の図９のステップＳ２０及びステップＳ５０参照）。
【０１３０】
その後、ステップＳ３００では、上記ステップＳ１４０で取得された復帰条件情報に基づき復帰処理を実行する（詳細手順は後述の図１１〜図１４参照）。すなわち、上記図９のステップＳ５０において表示部１０等が主メモリ２４に書き込まれた個人設定情報に応じた動作を行った後、復帰条件情報に対応した復帰条件が満たされた場合、上記ステップＳ１８０において退避用メモリ３０に退避処理されていた動作設定情報を主メモリ２４内に復帰処理する。
【０１３１】
ステップＳ３００が完了したら、このフローを終了する。なお、このフローは、例えば複合機２の電源がオンの間、あるいは所定の終了操作がされるまでの間は、繰り返し継続して実行される。
【０１３２】
以上において、上記図１０のステップＳ１８０及びステップＳ２００が、特許請求の範囲各項記載の設定変更手段として機能する。
【０１３３】
なお、上記フローチャートは本発明を上記フローに示す手順に限定するものではなく、発明の趣旨及び技術的思想を逸脱しない範囲内で手順の追加・削除又は順番の変更等をしてもよい。例えば、上記ステップＳ１００において、タグＩＤのみを読み取るためのタグ読み取り信号をまず送信し、タグＩＤの取得判定を行った後、タグＩＤが取得された場合には、改めて個人設定情報及び復帰条件情報等を含む情報を読み取るためのタグ読み取り信号を送信し、個人設定情報及び復帰条件情報の取得を行うようにしてもよい。
【０１３４】
図１１は、上記ステップＳ３００の詳細手順を表すフローチャートである。なお、このフローは、復帰条件としての上記４つの例（作業量条件、時間条件、無線タグ通信条件、及び無線タグ非通信条件）のうち、作業量条件である場合の例に対応している。
【０１３５】
図１１において、（上記のように表示部１０等が個人設定情報に応じた動作を行った後において）まずステップＳ３１０で、上記図９のステップＳ５０において、表示部１０等が実行する動作に係わる所定の作業量（例えば、ＦＡＸ機能での表示文字サイズの個人動作設定に関してはＦＡＸの１回送信、コピー機能での印字文字サイズの個人動作設定に関してはコピー１回、等）を実行したか否かを判定する。このような所定の作業量が終了するまでループして待機し、表示部１０等が（前述の各機能に関連して）所定の作業量を実行したら、判定が満たされてステップＳ４００に移る。
【０１３６】
ステップＳ４００では、先に図１０のステップＳ１８０で退避用メモリ３０に退避して記憶されていた動作設定情報を読み出し、再び主メモリ２４に復帰処理（移動して格納）する（設定復帰手段としての機能）。その後、このルーチンを終了する。
【０１３７】
なお、上記フローチャートは本発明を上記フローに示す手順に限定するものではなく、発明の趣旨及び技術的思想を逸脱しない範囲内で手順の追加・削除又は順番の変更等をしてもよい。
【０１３８】
図１２は、上記ステップＳ３００の詳細手順の別の例を表すフローチャートである。このフローは、復帰条件としての上記４つの例（作業量条件、時間条件、無線タグ通信条件、及び無線タグ非通信条件）のうち、時間条件である場合の例に対応している。
【０１３９】
図１２において、（上記のように表示部１０等が個人設定情報に応じた動作を行った後において）まずステップＳ３２０で、図示しないタイマの機能により、前述の図９のステップＳ５０において表示部１０等が個人設定情報に応じた動作を開始後、所定の時間（例えば、１分）が経過したか否かを判定する。上記所定の時間が経過するまでループして待機し、前述の図９のステップＳ５０において表示部１０等が個人設定情報に応じた動作を開始後、所定の時間が経過したら判定が満たされてステップＳ４００に移る。
【０１４０】
ステップＳ４００の手順は、上記図１１と同様であるので説明を省略する。
【０１４１】
なお、上記フローチャートは本発明を上記フローに示す手順に限定するものではなく、発明の趣旨及び技術的思想を逸脱しない範囲内で手順の追加・削除又は順番の変更等をしてもよい。
【０１４２】
図１３は、上記ステップＳ３００の詳細手順のさらに別の例を表すフローチャートである。このフローは、復帰条件としての上記４つの例（作業量条件、時間条件、無線タグ通信条件、及び無線タグ非通信条件）のうち、無線タグ通信条件である場合の例に対応している。すなわち、この場合は、操作者によりタグカードＴがかざされることで前述のようにして表示部１０等が個人設定情報に応じた動作を開始した後、再び操作者によりアンテナ９の近傍（通信範囲内）にタグカードＴがかざされたら復帰処理を行う。
【０１４３】
図１３において、（上記のように表示部１０等が個人設定情報に応じた動作を行った後において）ステップＳ３２３で、上記ステップＳ１００と同様、ＲＦ通信制御部２９及びアンテナ９を介し、タグカードＴの無線タグ回路素子Ｔｏに対し、情報を読み取るためのタグ読み取り信号を送信し、無線通信により情報の読み取りを行う。
【０１４４】
その後、ステップＳ３２５で、上記ステップＳ１２０と同様で、上記ステップＳ３２３で送信したタグ読み取り信号に対応して、無線タグ回路素子ＴｏからタグＩＤが取得されたか否かを判定する。操作者が上記のようにタグカードＴをかざして情報を読み取らせた後、そのままかざし続けている場合には、タグカードＴのタグＩＤが引き続き取得されているのでステップＳ３２５の判定が満たされ、ステップＳ３２３に戻って同様の手順を繰り返す。一方、操作者が上記のようにタグカードＴをかざして個人設定情報を読み取らせた後、上記図１０のステップＳ１６０での報知により個人設定情報の取得を確認しタグカードＴをアンテナ９の近傍から遠ざけた（かざすのをやめた）場合、タグＩＤが取得されなくなってステップＳ３２５の判定が満たされず、ステップＳ３３０に移る。
【０１４５】
ステップＳ３３０では、再びタグカードＴの無線タグ回路素子Ｔｏに対し、タグ読み取り信号を送信し、ステップＳ３４０でタグＩＤが取得されたかどうかを判定する。本変形例では、上述したように、個人設定情報に基づく表示部１０等における動作（操作者の嗜好や用途等に応じた態様の動作）が終了し、元の設定（動作設定情報に基づく設定）に戻したい場合には、操作者は再度タグカードＴをかざすことでタグＩＤをアンテナ９より読み取らせる。この操作により、再びタグＩＤが取得されるとステップＳ３４０の判定が満たされ、ステップＳ４００に移る。
【０１４６】
ステップＳ４００の手順は、前述の図１１と同様であるので説明を省略する。
【０１４７】
なお、上記フローチャートは本発明を上記フローに示す手順に限定するものではなく、発明の趣旨及び技術的思想を逸脱しない範囲内で手順の追加・削除又は順番の変更等をしてもよい。
【０１４８】
図１４は、上記ステップＳ３００の詳細手順のさらに別の例を表すフローチャートである。このフローは、復帰条件としての上記４つの例（作業量条件、時間条件、無線タグ通信条件、及び無線タグ非通信条件）のうち、無線タグ非通信条件である場合の例に対応している。すなわち、この場合は、操作者によりタグカードＴがかざされることで前述のようにして表示部１０等が個人設定情報に応じた動作を開始した後、操作者がそのタグカードＴのかざし行為を止めたら復帰処理を行う。
【０１４９】
図１４において、（上記のように表示部１０等が個人設定情報に応じた動作を行った後において）ステップＳ３３０で、上記図１３と同様、ＲＦ通信制御部２９及びアンテナ９を介し、タグカードＴの無線タグ回路素子Ｔｏに対し、情報を読み取るためのタグ読み取り信号を送信し、無線通信により情報の読み取りを行う。
【０１５０】
その後、上記図１３と同様のステップＳ３５０で、上記ステップＳ３３０で送信したタグ読み取り信号に対応して、無線タグ回路素子ＴｏからタグＩＤが取得されたか否かを判定する。操作者がタグカードＴをアンテナ９の通信範囲内にかざしている間は、判定が満たされず、ステップＳ３３０に戻り、ステップＳ３３０→ステップＳ３５０→ステップＳ３３０→・・・が繰り返される。この復帰処理の場合、上述したように、個人設定情報に基づく表示部１０等における動作（操作者の嗜好や用途等に応じた態様の動作）が終了し、元の設定（動作設定情報に基づく設定）に戻したい場合には、操作者はタグカードＴのかざし行為を中止し、アンテナ９の通信範囲外に離脱させる。この操作により、タグカードＴからタグＩＤが取得されなくなるため、上記ステップＳ３５０の判定が満たされなくなり、ステップＳ４００に移る。
【０１５１】
ステップＳ４００の手順は、前述の図１１と同様であるので説明を省略する。
【０１５２】
なお、上記フローチャートは本発明を上記フローに示す手順に限定するものではなく、発明の趣旨及び技術的思想を逸脱しない範囲内で手順の追加・削除又は順番の変更等をしてもよい。
【０１５３】
以上説明したように、本実施形態においては、複合機２の主メモリ２４に上記動作設定情報が記憶され、タグカードＴの無線タグ回路素子Ｔｏに上記個人設定情報及び復帰条件情報が記憶されている。通常の動作状態においては、ＣＰＵ２１の制御により、表示部１０等が、上記主メモリ２４に記憶された動作設定情報（前述した共有用の一般的な動作設定、標準動作設定、初期動作設定等）に応じた動作を行う（ステップＳ２０）。一方、タグカードＴには、操作者個人の用途や嗜好等に対応した表示部１０等の設定が個人設定情報として予め記憶されている。このタグカードＴを用いて操作者が個人設定情報を読み取らせることにより、複合機２は、上記通常の動作状態から一時的に離脱する。すなわち、タグカードＴに記憶された個人設定情報が取得されると、主メモリ２４に記憶されていた動作設定情報が主メモリ２４外（前述の例では、退避用メモリ３０）に退避処理される（ステップＳ１８０）とともに、上記取得された個人設定情報が主メモリ２４に書き込まれる（ステップＳ２００）。これにより、表示部１０等は、上記主メモリ２４に記憶された個人設定情報に応じた動作を行うこととなる（ステップＳ２０）。この結果、操作者は、タグカードＴに対し情報読み取りを行わせるという簡単な操作だけで、上記個人的な設定に対応した態様で表示部１０等を動作させることができる。
【０１５４】
一方、タグカードＴには、上記個人設定情報のほか、復帰条件を表す復帰条件情報も予め記憶されており、上記タグカードＴからの情報読み取り時にこの復帰条件情報も個人設定情報とともに読み取られている。そして、上記主メモリ２４に書き込まれた個人設定情報に応じた動作が終了した後、上記復帰条件情報に含まれる復帰条件が満たされると、上記退避処理されていた動作設定情報が主メモリ２４内に復帰処理される（ステップＳ３００）。これにより、表示部１０等は、上記主メモリ２４に記憶された動作設定情報に応じた動作を再び行うこととなる（ステップＳ２０）ので、元の表示部１０等の設定に容易に復帰させ、前述した共有用の一般的な動作設定、標準動作設定、初期動作設定等に応じた動作を行わせることができる。
【０１５５】
以上の結果、操作者は、複数名で共同で複合機２を利用する場合であっても、操作者個人にとって便利な態様で動作を行わせ、さらに所望のタイミングで元の設定に容易に復帰させることができる。これにより、他者に迷惑をかけないようにしつつ確実に利用することができ、利便性を向上することができる。
【０１５６】
また、本実施形態では特に、タグカードＴからの個人設定情報の読み取りによって上記通常の動作状態から一時的に離脱し、表示部１０等が個人設定情報に対応した動作を行うとき、もともと主メモリ２４に記憶されていた動作設定情報を（一時的に）複合機２の内部の退避用メモリ３０に退避させて保管しておく。そして、個人設定情報に基づく動作が終了したとき、退避用メモリ３０に退避させていた動作設定情報を主メモリ２４に戻すことで、表示部１０等を上記通常の動作状態に確実に復帰させることができる。また、このように複合機２の内部のみにおいて動作設定情報の退避及び復帰を行うことにより、複合機２外部に退避させる場合に生じるおそれのある誤消去や通信エラー等の発生を回避することができ、動作復帰の信頼性を高めることができる。
【０１５７】
また、本実施形態では特に、図６及び図７に示したように、タグカードＴは、復帰条件が、複合機２のファックス機能、プリンタ機能、コピー機能、及び通話機能のいずれかに対応して、上記作業量条件、時間条件、無線タグ通信条件、及び無線タグ非通信条件のいずれかに設定された復帰条件情報を記憶している。これにより、元の態様の動作に復帰するタイミングを、ファックス機能、プリンタ機能、コピー機能、及び通話機能のいずれの機能を利用するかに応じて変えることができる。この結果、操作者の用途等に応じたさらにきめの細かい設定が可能となり、利便性をさらに向上することができる。
【０１５８】
また、本実施形態では特に、図１１のフローチャートに示したように、個人的な設定に対応した態様で所定の作業量（前述の例では１回のＦＡＸ送信や１回のコピー等）だけ動作させたら、表示部１０等を元の設定に沿った動作に確実に復帰させることができる。また、当該作業量を、予め、操作者個人の用途や嗜好等に対応した量に適宜に設定してタグカードＴに記憶させておくことができる。この結果、操作者個人にとって便利な態様で確実に利用することができる。
【０１５９】
また、本実施形態では特に、図１２のフローチャートに示したように、個人的な設定に対応した態様で所定の時間（例えば、１分）だけ表示部１０等を動作させたら、表示部１０等を元の設定に沿った動作に確実に復帰させることができる。また、当該時間を、予め、操作者個人の用途や嗜好等に対応した長さに適宜に設定してタグカードＴに記憶させておくことができる。この結果、操作者個人にとって便利な態様で確実に利用することができる。
【０１６０】
また、本実施形態では特に、図１３のフローチャートに示したように、操作者がタグカードＴを手で持ってアンテナ９の通信範囲内に位置させ、個人的な設定に対応した態様で表示部１０等を動作させた後、再びタグカードＴを手で持ってアンテナ９の通信範囲内に位置させる（すなわち２回目のタグカードかざし行為を行う）ことで、表示部１０等を元の設定に沿った動作に確実に復帰させることができる。この結果、操作者個人にとって便利な態様で確実に利用することができる。
【０１６１】
また、本実施形態では特に、図１４のフローチャートに示したように、操作者が例えばタグカードＴを手で持ってアンテナ９の通信範囲内に位置させることで個人的な設定に対応した態様で表示部１０等を動作させ、その後タグカードＴをアンテナ９の通信範囲外に離脱させることで、上記表示部１０等を元の設定に沿った動作に確実に復帰させることができる。この結果、操作者個人にとって便利な態様で確実に利用することができる。
【０１６２】
なお、本発明は、上記実施形態に限られるものではなく、その趣旨及び技術的思想を逸脱しない範囲内で種々の変形が可能である。以下、そのような変形例を順を追って説明する。
【０１６３】
（１）タグカードに退避処理する場合
上記実施形態においては、主メモリ２４に記憶されていた動作設定情報を、退避用メモリ３０に退避処理していたが、これに限られず、タグカードＴに退避処理してもよい。
【０１６４】
図１５は、前述の図９のフローと並行して、複合機本体７のＣＰＵ２１によって実行される制御内容を表すフローチャートであり、前述の図１０に対応する図である。図１０と同等の部分には同符号を付し適宜説明を省略する。
【０１６５】
図１５において、ステップＳ１００、ステップＳ１２０、ステップＳ１４０、及びステップＳ１６０は、前述の図１０と同等である。すなわち、タグカードＴの無線タグ回路素子Ｔｏに対しタグ読み取り信号を送信し、操作者がタグカードＴをかざしタグＩＤが取得されたらタグカードＴから個人設定情報及び復帰条件情報を取得して報知を行う。ステップＳ１６０が終了したら、図１０のステップＳ１８０に代えて新たに設けたステップＳ１８０′に移る。
【０１６６】
ステップＳ１８０′では、ＲＦ通信制御部２９及びアンテナ９を介し、タグカードＴの無線タグ回路素子Ｔｏに対しタグ書き込み信号を送信し、主メモリ２４に記憶されていた動作設定情報を、（主メモリ２４外である）タグカードＴの無線タグ回路素子ＴｏのＩＣ回路部１５０に無線通信を介し書き込む（退避処理する）。なお、既に前述したように主メモリ２４の動作設定情報を移動させるようにしてもよいし、複製をＩＣ回路部１５０に格納するようにしてもよい。
【０１６７】
その後のステップＳ２００は、前述の図１０と同等であり、個人設定情報を主メモリ２４に書き込む。これにより、表示部１０等は、この主メモリ２４に記憶された個人設定情報に応じた動作を行う。その後、図１０のステップＳ３００に代えて新たに設けたステップＳ３００′に移る。
【０１６８】
ステップＳ３００′では、上記ステップＳ１４０で取得された復帰条件情報に基づき復帰処理を実行する（詳細は後述の図１６参照）。
【０１６９】
その後、ステップＳ４２０では、ＲＦ通信制御部２９及びアンテナ９を介し、タグカードＴの無線タグ回路素子Ｔｏに対し、タグ書き込み信号を送信し、現在の主メモリ２４に記憶されている設定情報を、新たな個人設定情報として無線タグ回路素子ＴｏのＩＣ回路部１５０に書き込む（個人設定更新手段としての機能）。このステップＳ４２０が完了したら、このフローを終了する。
【０１７０】
以上において、上記図１５のステップＳ１８０′及びステップＳ２００が、特許請求の範囲各項記載の設定変更手段として機能する。また、ステップＳ３８０及びステップＳ４００が、設定復帰手段として機能する。
【０１７１】
なお、上記フローチャートは本発明を上記フローに示す手順に限定するものではなく、発明の趣旨及び技術的思想を逸脱しない範囲内で手順の追加・削除又は順番の変更等をしてもよい。
【０１７２】
図１６は、上記ステップＳ３００′の詳細手順を表すフローチャートであり、前述の図１１に対応する図である。図１１と同等の部分には同符号を付し適宜説明を省略する。このフローは、復帰条件としての上記４つの例（作業量条件、時間条件、無線タグ通信条件、及び無線タグ非通信条件）のうち、作業量条件と無線タグ通信条件との両方が満足されることを条件とする場合の例に対応している。すなわち、この場合は、操作者によりタグカードＴがかざされることで前述のようにして表示部１０等が個人設定情報に応じた動作を開始した後、所定の作業量が実行され、その後再び操作者によりアンテナ９の近傍（通信範囲内）にタグカードＴがかざされたら復帰処理を行う。
【０１７３】
図１６において、ステップＳ３１０は、前述の図１１と同等であり、表示部１０等により実行する動作に係わる所定の作業量が終了したか否かを判定し、所定の作業量が実行されたら判定が満たされてステップＳ３６０に移る。
【０１７４】
ステップＳ３６０では、ＲＦ通信制御部２９及びアンテナ９を介し、タグカードＴの無線タグ回路素子Ｔｏに対し情報を読み取るためのタグ読み取り信号を送信し、無線通信により情報の読み取りを行う。
【０１７５】
その後、ステップＳ３７０で、上記ステップＳ３６０で送信したタグ読み取り信号に対応しタグカードＴの無線タグ回路素子Ｔｏから受信したリプライ信号より、タグＩＤが取得されたか否かを判定する。本変形例では、上述したように、個人設定情報に基づく表示部１０等における動作（操作者の嗜好や用途等に応じた態様の動作）が終了し、元の設定（動作設定情報に基づく設定）に戻したい場合には、操作者は再度タグカードＴをかざすことでタグＩＤをアンテナ９より読み取らせる。この操作により、再びタグＩＤが取得されるとステップＳ３７０の判定が満たされ、ステップＳ３８０に移る。
【０１７６】
ステップＳ３８０では、上記ステップＳ３７０で受信したリプライ信号より、タグカードＴの無線タグ回路素子Ｔｏに記憶されていた動作設定情報、すなわち、上記図１５のステップＳ１８０′においてタグカードＴに退避処理されていた動作設定情報を抽出して取得する。その後、図１１〜図１４等のステップＳ４００に代えて新たに設けたステップＳ４００′に移る。
【０１７７】
ステップＳ４００′では、上記ステップＳ３８０で取得した動作設定情報を主メモリ２４に復帰処理（格納）する。そして、このルーチンを終了する。
【０１７８】
以上において、上記図１５のステップＳ１８０′及びステップＳ２００が、特許請求の範囲各項記載の設定変更手段として機能する。また、ステップＳ３８０及びステップＳ４００′が、設定復帰手段として機能する。
【０１７９】
なお、上記フローチャートは本発明を上記フローに示す手順に限定するものではなく、発明の趣旨及び技術的思想を逸脱しない範囲内で手順の追加・削除又は順番の変更等をしてもよい。
【０１８０】
なお、本変形例においては、上記ステップＳ３００′の詳細手順、すなわち、前述した４つの復帰条件（作業量条件、時間条件、無線タグ通信条件、及び無線タグ非通信条件）のいずれかに設定された復帰条件情報に基づいて実行される復帰処理のうち、作業量条件及び無線タグ通信条件に設定された復帰条件情報に基づいて実行される復帰処理を一例として示した。しかしながら、本変形例は、これに限られるものではなく、その他の各復帰条件（時間条件、無線タグ通信条件、及び無線タグ非通信条件）の少なくとも１つを適用して、復帰処理することもできる。
【０１８１】
本変形例によれば、タグカードＴからの情報読み取りによって上記通常の動作状態から一時的に離脱し、表示部１０等が個人設定情報に対応した動作を行うとき、もともと主メモリ２４に記憶されていた動作設定情報をタグカードＴに退避させて保管しておく。そして、個人設定情報に基づく動作が終了したとき、タグカードＴに記憶された動作設定情報を再び主メモリ２４に戻すことで、表示部１０等を上記通常の動作状態に確実に復帰させることができる。また、このように複合機２の外部のタグカードＴへ動作設定情報を退避させた後に復帰させることにより、複合機２の内部の別のメモリ（前述の例では、退避用メモリ３０）に退避させる場合に比べ、複合機２の内部において必要なメモリ容量を低減することができる。また、外部退避方式とすることで、システムとしての応用性や拡張性を高めることもできる。
【０１８２】
また、表示部１０等が主メモリ２４に書き込まれた個人設定情報に応じた動作を行った後、復帰処理として、タグカードＴから読み取った動作設定情報を主メモリ２４に書き込む際、このときの主メモリ２４の記憶内容を新たな個人設定情報として、アンテナ９を介し無線通信によりタグカードＴに書き込む。これにより、タグカードＴから取得された個人設定情報に対応した設定を、さらに操作者が変更して表示部１０等を動作させた場合であっても、その変更後の最新の設定に対応した新たな個人設定情報をタグカードＴに書き込み、情報を更新することができる。
【０１８３】
（２）本発明を複数の機器に適用する場合
以上においては、本発明の無線タグ読み取り機能付き機器を、複数の機能（ファックス機能、プリンタ機能、コピー機能、及び通話機能）を１つの機器に備えた複合機２に適用した場合を例にとって説明したが、これに限らず、例えば上記機能を独立して備えた複数の機器に適用してもよい。
【０１８４】
図１７は、本変形例を説明するための概念図である。
【０１８５】
図１７において、本変形例は、それぞれ独立した構成のプリンタ機能を実行するプリンタ２０２、ファックス機能を実行するファックス機２０３、コピー機能を実行するコピー機２０４、及び通話機能を実行する電話機２０５（以上、無線タグ読み取り機能付き機器。以下適宜、これらを総称して「機器２０２〜２０５」と称する）が設けられている。そして、これら各機器２０２〜２０５のそれぞれについての前述の個人設定情報及び復帰条件情報がタグカードＴに記憶されている。
【０１８６】
また、特に図示しないが、各機器２０２〜２０５はそれぞれ上記実施形態におけるＣＰＵ２１、表示部１０、音声発生部２８、操作部３、主メモリ２４、退避用メモリ３０、ＲＦ通信制御部２９、及びアンテナ９と同等のもの（前述の図２参照。以下、同一名称、同一符号で表す）を基本構成部としてそれぞれ個別に備えている。
【０１８７】
そして、さらに、プリンタ２０２は、ネットワーク通信制御部２３及び印字部２７と同等のもの（前述の図２参照。以下、同一名称、同一符号で表す）を少なくとも備え、ファックス機２０３は、電話回線通信制御部２２、スキャナ部５、及び印字部２７と同等のもの（前述の図２参照。以下、同一名称、同一符号で表す）を少なくとも備えている。また、さらに、コピー機２０４は、スキャナ部５及び印字部２７と同等のもの（前述の図２参照。以下、同一名称、同一符号で表す）を少なくとも備え、電話機２０５は、電話回線通信制御部２２と同等のもの（前述の図２参照。以下、同一名称、同一符号で表す）を少なくとも備えている。これら機器２０２〜２０５は、上記実施形態の複合機２においてそれぞれ対応する機能動作と同等の動作を行えるようになっている。
【０１８８】
そして、タグカードＴの無線タグ回路素子Ｔｏは、前述の図６及び図７に例示したようなタグＩＤ、個人設定情報、及び復帰条件情報等を含む情報を、各機器２０２〜２０５ごとに対応して記憶保持している（あるいは、各機器２０２〜２０５ごとに個別にタグカードＴが用意されている）。そして、各機器２０２〜２０５のＣＰＵ２１が前述の図１０の制御手順を行う際には、ステップＳ１４０において、タグカードＴから各機器２０２〜２０５の機能に対応する個人設定情報及び復帰条件情報を取得する。そして、ステップＳ２００で上記取得した個人設定情報を主メモリ２４に書き込み、表示部１０等に当該個人設定情報に対応した態様で動作させ、ステップＳ３００で上記取得した復帰条件情報を適用し、当該復帰条件情報に対応した復帰処理を行えばよい。
【０１８９】
以上のように構成した本変形例によれば、ファックス機２０３、プリンタ２０２、コピー機２０４、電話機２０５の、表示部１０での表示動作、印字部２７での印字動作、音声発生部２８での発音動作等について、操作者個人の用途や嗜好等に対応した態様で動作させ、所望のタイミングで元の態様の動作に復帰させることができる。したがって、各機器２０２〜２０５の利用に関し、上記実施形態や（１）（２）の変形例と同様の効果を得ることができる。
【０１９０】
（３）本発明を印字ラベル作成装置に適用する場合
上記実施形態においては、本発明の無線タグ読み取り機能付き機器を複合機２に適用した場合を例にとって説明したが、これに限られず、例えば印字ラベルを作成するラベル作成機能を実行する印字ラベル作成装置に適用してもよい。
【０１９１】
図１８は、本変形例の無線タグ読み取り機能付き機器である印字ラベル作成装置の全体概略構成を表す斜視図である。なお、上記実施形態と同等の部分は同一名称、同一の符号で表し、適宜説明を省略又は簡略化する。
【０１９２】
図１８において、印字ラベル作成装置３００（無線タグ読み取り機能付き機器）は、装置本体３０２と、この装置本体３０２にケーブル８を介して接続されているアンテナ９とを有している。
【０１９３】
装置本体３０２は、後述する印字ヘッドの所定の動作（印字動作）に関する印刷設定を操作入力可能なキーボード３０３と、所定の表示を行う液晶ディスプレイ３０５と、電源スイッチ３０６と、カッタ駆動ボタン３０７と、開閉可能（又は着脱可能としてもよい）に設けられた開閉蓋３０８と有している。
【０１９４】
キーボード３０３は、操作者が各種入力操作を行うためのものであり、決定キー３０３ａ、カーソル移動キー３０３ｂ、及び文字や記号等の入力を行う文字キー３０３ｃ等を有している。
【０１９５】
電源スイッチ３０６は、印字ラベル作成装置３００の電源のオン・オフを行うためものである。
【０１９６】
カッタ駆動ボタン３０７は、装置本体３０２内の所定の位置に配設されたカッタ３３１（後述の図２０参照）を操作者の手動操作で駆動するためのものである。このカッタ駆動ボタン３０７が押されることで、テープ排出口（図示せず）より図中矢印Ｈで示す方向に排出された印字済みテープ１０２を所望の長さにカットし、印字ラベルＬ（後述の図２４参照）にすることができる。
【０１９７】
アンテナ９は、上記実施形態と同等のものであり、上記個人設定情報及び復帰条件情報等を含む情報を記憶保持したタグカードＴの無線タグ回路素子Ｔｏ（詳細構造は前述の図４参照）との間で無線通信により情報の送受信を行う。
【０１９８】
図１９は、印字ラベル作成装置３００の開閉蓋３０８を開けた状態の全体概略構成を示す斜視図である。
【０１９９】
図１９において、印字ラベル作成装置３００の装置本体３０２内部には、カートリッジホルダ３０９と、印字ヘッド３１９（第２印字手段、動作手段）等を備えたサーマル印刷機構３０４とが設けられている。
【０２００】
カートリッジホルダ３０９は、装置本体３０２に着脱可能に装着されるカートリッジ３１０を収納することができる。また、このカートリッジホルダ３０９には、リボン巻取り駆動軸３２５と、テープ圧着ローラ駆動軸３２６と、上記カートリッジ３１０を収納した際に開口部３２７に位置するように放熱を兼ねたサブフレーム３２８とが設けられている。
【０２０１】
リボン巻取りローラ駆動軸３２５及びテープ圧着ローラ駆動軸３２６は、使用済みインクリボン（後述する）及び上記印字済みテープ１０２の搬送駆動力をそれぞれ与えるものであり、互いに連動して回転駆動される。
【０２０２】
図２０は、カートリッジ３１０を装着した状態のカートリッジホルダ３０９の周辺部分を、カートリッジ３１０とともに示す（一部透視）上面図である。
【０２０３】
図２０において、カートリッジ３１０は、装置本体３０２内の凹所である上記カートリッジホルダ３０９に着脱可能に収納されている。また、カートリッジ３１０は、第１ロール３１７と、第２ロール３１２と、印字用のインクリボン１１３（但し被印字媒体が感熱テープの場合は不要）を繰り出すリボン供給側ロール３１４と、印字後のインクリボン１１３を巻取るリボン巻取りローラ３１５と、テープ圧着ローラ３１８とを有している。
【０２０４】
第１ロール３１７は、リール部材３１７ａの周りに、基材テープ１０１を巻回している。
【０２０５】
基材テープ１０１は、複数層（この例では４層）の積層構造を備えている（図２０中部分拡大図参照）。すなわち、内側に巻かれる側（図２０中右側）よりその反対側（図２０中左側）へ向かって、適宜の粘着剤からなり後述のカバーフィルム１０３を貼り合わせるための粘着剤層１０１ｈａ、例えばＰＥＴ（ポリエチレンテレフタラート）等からなるテープ基材層１０１ｈｂ、適宜の粘着剤からなる粘着剤層１０１ｈｃ、剥離紙（剥離材層）１０１ｈｄの順序で積層され構成されている。
【０２０６】
剥離紙１０１ｈｄは、最終的に完成した印字ラベルＬ（後述する）が所定の物品等に貼り付けられる際に、これを剥がすことで粘着剤層１０１ｈｃにより当該物品等に接着できるようにしたものである。
【０２０７】
第２ロール３１２は、リール部材３１２ａの周りに、上記基材テープ１０１と略同じ幅である透明な被印字媒体としてのカバーフィルム１０３を巻回している。上記リボン巻取りローラ３１５及びテープ圧着ローラ３１８は、それぞれカートリッジ３１０外に設けた例えばパルスモータであるテープ送りモータ１１８（後述の図２１参照）の駆動力が図示しないギヤ機構を介し上記リボン巻取りローラ駆動軸３２５及びテープ圧着ローラ駆動軸３２６に伝達されることによって連動して回転駆動される。
【０２０８】
テープ圧着ローラ３１８は、上記基材テープ１０１と印字済みの上記カバーフィルム１０３とを押圧し接着させ上記印字済みテープ１０２としつつ、図２０中矢印Ｈで示す方向（図１８も参照）にテープ送りを行う（＝テープ送りローラとしても機能する）。
【０２０９】
また、カートリッジホルダ３０９は、上記印字ヘッド３１９と、上記リボン巻取りローラ３１５を駆動する上記リボン巻取りローラ駆動軸３２５と、上記テープ圧着ローラ３１８を駆動する上記テープ圧着ローラ駆動軸３２６（搬送手段）と、ローラホルダ３２２とを有している。
【０２１０】
印字ヘッド３１９は、多数の発熱素子を備えており、上記第２ロール３１２から繰り出されたカバーフィルム１０３の所定の印字領域に印字を行う（＝印字動作）。なお、この印字ヘッド３１９は、テープ圧着ローラ３１８よりカバーフィルム１０３の搬送方向上流側に配置されている。
【０２１１】
ローラホルダ３２２は、支持軸３２９により回動可能に枢支され、切換機構により印字位置とリリース位置に切換可能とされている。このローラホルダ３２２には、プラテンローラ３２０及びテープ送りローラ３２１が回転可能に配設されており、ローラホルダ３２２が上記印字位置に切り換えられたときに、それらプラテンローラ３２０及びテープ送りローラ３２１が上記印字ヘッド３１９及びテープ圧着ローラ３１８に対し圧着されるようになっている。
【０２１２】
上記構成において、上記第１ロール３１７より繰り出された基材テープ１０１は、テープ圧着ローラ３１８へと供給される。一方、第２ロール３１２より繰り出されたカバーフィルム１０３は、その裏面側（＝基材テープ１０１と接着される側）に配置されリボン供給側ロール３１４とリボン巻取りローラ３１５とにより駆動されるインクリボン１１３が、上記印字ヘッド３１９に押圧されて当該カバーフィルム１０３の裏面に接触させられる。
【０２１３】
また、カートリッジ３１０が上記カートリッジホルダ３０９に装着されることにより、ロールホルダ３２２が上記リリース位置から上記印字位置に移動する。これにより、カバーフィルム１０３及びインクリボン１１３が印字ヘッド３１９とプラテンローラ３２０との間に狭持されるとともに、基材テープ１０１及びカバーフィルム１０３がテープ圧着ローラ３１８とテープ送りローラ３２１との間に狭持される。
【０２１４】
その後、上記テープ送りモータ１１８の駆動力によってリボン巻取りローラ３１５及びテープ圧着ローラ３１８が図２０中矢印Ｂ及び矢印Ｃで示す方向にそれぞれ同期して回転駆動される。このとき、前述のテープ圧着ローラ駆動軸３２６と上記テープ送りローラ３２１及びプラテンローラ３２０はギヤ機構（図示せず）にて連結されており、テープ圧着ローラ駆動軸３２６の駆動に伴いテープ圧着ローラ３１８、プラテンローラ３２０、及びテープ送りローラ３２１が回転し、第１ロール３１７から基材テープ１０１が繰り出され、上述のようにテープ圧着ローラ３１８へ供給される。
【０２１５】
一方、第２ロール３１２からはカバーフィルム１０３が繰り出されるとともに、印刷駆動回路１１９（後述の図２１参照）により印字ヘッド３１９の複数の発熱素子が通電される。この結果、カバーフィルム１０３の裏面の所定の印字領域に印字がされる。
【０２１６】
そして、上記基材テープ１０１と上記印字が終了したカバーフィルム１０３とが上記テープ圧着ローラ３１８及びテープ送りローラ３２１により接着されて一体化されて印字済みテープ１０２として形成され、テープ排出部（図示せず）よりカートリッジ３１０外へと搬出される。また、上記カバーフィルム１０３への印字が終了したインクリボン１１３は、リボン巻取りローラ駆動軸３２５の駆動によりリボン巻取りローラ３１５に巻取られる。
【０２１７】
そして、上記カッタ駆動ボタン３０７（前述の図１８参照）が操作されることにより、カッタ３３１によって印字済みテープ１０２が切断され、所望の印字がされた印字ラベル（後述）が生成される。
【０２１８】
図２１は、印字ラベル作成装置３００の制御系を示す図である。なお、図中に示す矢印は信号の流れの一例を示すものであり、信号の流れ方向を限定するものではない。なお、上記実施形態と同等の部分は同一名称、同一の符号で表し、適宜説明を省略又は簡略化する。
【０２１９】
図２１において、印字ラベル作成装置３００の制御基板（図示せず）上には、制御回路４６が配置されている。この制御回路４６には、各機器を制御するＣＰＵ４０（制御手段）と、このＣＰＵ４０にデータバス４５を介して接続された入出力インターフェース４４と、表示用キャラクタジェネレータＲＯＭ（表示用ＣＧＲＯＭ）４１と、印刷用キャラクタジェネレータＲＯＭ（印刷用ＣＧＲＯＭ）４２と、ＲＯＭ４３と、ＲＡＭ５０とが設けられている。
【０２２０】
表示用ＣＧＲＯＭ４１には、文字や記号等の多数のキャラクタそれぞれに関する所定サイズの表示用ドットパターンデータが格納されている。印刷用ＣＧＲＯＭ４２には、文字や記号等の多数のキャラクタそれぞれに関する印刷用ドットパターンデータが各書体（フォント、テキストスタイル、テキストサイズ等）ごとにコードデータに対応付けて格納されている。
【０２２１】
ＲＯＭ４３には、表示制御プログラム４７と、印字駆動制御プログラム４８と、書体を選択するときに使用される書体データ５６と、その他印字ラベル作成装置３００の制御上必要な各種のプログラム及びデータとが格納されている。
【０２２２】
表示制御プログラム４７は、キーボード３０３からの操作入力信号に対応して液晶ディスプレイ３０５の制御を行う。印字駆動制御プログラム４８は、印字に供する１ドット列ごとのドットパターンデータを順次、後述の印刷駆動回路１１９に転送して、図示しない搬送用モータを駆動させて印字を行う。ＣＰＵ４０は、上記したようなＲＯＭ４３に記憶されている各種プログラム及びデータに基づいて各種の演算を行う。
【０２２３】
ＲＡＭ５０には、上記動作設定情報を記憶可能なテキストメモリ５１（設定記憶手段）と、ＣＰＵ４０で演算した演算結果を一時的に格納するワークメモリ５２と、印字バッファ５３と、上記退避用メモリ３０とが設けられている。
【０２２４】
印字バッファ５３は、複数の文字や記号等の印字用ドットパターンが格納され、上記印字ヘッド３１９はこの印字バッファ５３に記憶されているドットパターンデータに従って印字を行う。
【０２２５】
入出力インターフェース４４には、上記キーボード３０３と、上記液晶ディスプレイ３０５と、上記印字ヘッド３１９を駆動させる印刷駆動回路１１９と、テープ送りモータ駆動回路１１７と、ソレノイド駆動回路１３１と、上記カッタ駆動ボタン３０７と、上記ＲＦ通信制御部２９とが接続されている。
【０２２６】
テープ送りモータ駆動回路１１７は、テープ送りモータ１１８を駆動することにより、上記リボン巻取りローラ駆動軸３２５及びテープ圧着ローラ駆動軸３２６を駆動し、基材テープ１０１、カバーフィルム１０３、及び印字済みテープ１０２の搬送を行う。
【０２２７】
ソレノイド駆動回路１３１は、上記カッタ３３１を駆動して切断動作を行わせるソレノイド１３２を駆動する。
【０２２８】
ＲＦ通信制御部２９は、上記実施形態と同等のものであり、上記アンテナ９を介して、タグカードＴに備えられた無線タグ回路素子ＴｏのＩＣ回路部１５０の情報へアクセスする（詳細は前述の図３参照）。
【０２２９】
また、上記印刷駆動回路１１９、印字ヘッド３１９、テープ送りモータ駆動回路１１７、テープ送りモータ１１８、リボン巻取りローラ駆動軸３２５、及びテープ圧着ローラ駆動軸３２６等により、印字ヘッド３１９により印字が行われた上記カバーフィルム１０３を用いて印字ラベルＬ（後述）を作成するラベル作成機能を備えたサーマル印刷機構３０４が構成されている。
【０２３０】
図２２は、印字ラベル作成装置３００のテキストメモリ５１に記憶されている動作設定情報の一例を概念的に表す図である。
【０２３１】
図２２において、この例では、上記動作設定情報は、上記印字ヘッド３１９が上記カバーフィルム１０３に印字するテキストデータの書体情報（明朝体やゴシック体等のフォント、太字・斜体等のテキストスタイル、テキストサイズ等）と、当該テキストデータの装飾情報（下線、枠、背景の模様・網掛け等の地紋、その他文字飾り等）とを含んでいる。なお、テキストデータ自体を含めるようにしてもよい。
【０２３２】
すなわち、この例では、上記テキストデータ（例えば「ＡＡＡ」）の書体情報として、フォントが「明朝体」、テキストスタイルが「標準」、テキストサイズが「８ポイント」に設定されている。上記テキストデータの装飾情報として、装飾が「なし」に設定されている。
【０２３３】
上記通常の動作状態では、印字ヘッド３１９は上記動作設定情報に対応した態様で上記カバーフィルム１０３に印字を行う。
【０２３４】
図２３は、タグカードＴの無線タグ回路素子Ｔｏに記憶されている情報の一例を概念的に表す図である。
【０２３５】
前述したように、タグカードＴの無線タグ回路素子Ｔｏには、タグカードＴのタグＩＤ（この例では「３４５６７」）、上記個人設定情報、上記復帰条件情報が記憶されている。
【０２３６】
図２３において、個人設定情報は、上記図２２の動作設定情報と同様に、テキストデータの書体情報及び当該テキストデータの装飾情報を含んでいる。
【０２３７】
すなわち、この例では、上記テキストデータの書体情報として、フォントが「ゴシック体」、テキストスタイルが上記図２２の動作設定情報と同様の「標準」、テキストサイズが「１０ポイント」に設定されている。上記テキストデータの装飾情報として、装飾が上記図２２の動作設定情報と同様の「なし」に設定されている。
【０２３８】
なお、図２２と図２３とを対比させると分かるように、この例では、操作者は、印字ヘッド３１９の印字動作に関して、フォントを自分好みのゴシック体へ、テキストサイズを自分好みに大きくカスタマイズ（「８」ポイント→「１０」ポイント）している。
【０２３９】
また、復帰条件情報として、復帰条件が、印字ヘッド３１９により印字動作に係わる所定の作業量（この例では、１つの印字ラベルＬの印刷）が終了したという作業量条件に設定されている。
【０２４０】
なお、前述したように、上記の個人設定情報及び復帰条件情報は、いったんタグカードＴの無線タグ回路素子Ｔｏに書き込まれた後は、書き換え不能となるように記憶されていてもよい。あるいは、書き込み後もアンテナ９を介し無線通信によりさらに書き換え可能としてもよい。
【０２４１】
上記のような個人設定情報や復帰条件情報を記憶保持したタグカードＴから、アンテナ９を介して当該情報を読み取ることにより、上記図２２に示した動作設定情報に対応した通常の動作状態から一時的に離脱する。そして、上記取得した個人設定情報に対応した印字動作を、印字ヘッド３１９に行わせることができる。そして、印字ヘッド３１９により上記個人設定情報に基づく印字動作が終了した後、上記取得した復帰条件情報に含まれる復帰条件（この例では、印刷１回）が満たされたら、上記通常の動作状態に戻ることができる。
【０２４２】
図２４（ａ）及び図２４（ｂ）は、上記印字ヘッド３１９が上記図２３で示した個人設定情報に対応した態様で印字動作を行うことにより作成された印字ラベルＬの外観の一例を表す上面図及び下面図である。図２５は、図２４（ａ）中ＸＸＶ−ＸＸＶ′断面による横断面図を９０°回転させて示す図である。
【０２４３】
これら図２４（ａ）、図２４（ｂ）、及び図２５において、印字ラベルＬは、前述の図２０に示した基材テープ１０１にカバーフィルム１０３が加わった５層構造となっている。すなわち、表面（図２５中上側）よりその反対側（図２５中下側）へ向かって、カバーフィルム１０３、粘着剤層１０１ｈａ、テープ基材層１０１ｈｂ、粘着剤層１０１ｈｃ、剥離紙（剥離材層）１０１ｈｄの順序で積層され構成されている。
【０２４４】
また、カバーフィルム１０３の裏面には、上記図２３で示した個人設定情報に対応した態様（前述したように、フォント：「ゴシック」、テキストスタイル：「標準」、テキストサイズ：「１０ポイント」、装飾：「なし」）の印字Ｒ（この例では「ＲＦ−ＩＤ」）が印刷されている。
【０２４５】
図２６は、印字ラベル作成装置３００のＣＰＵ４０によって実行される制御内容を表すフローチャートであり、前述の図９に対応する図である。
【０２４６】
図２６において、例えば印字ラベル作成装置３００の電源が投入されることによって、このフローが開始される（「ＳＴＡＲＴ」位置）。
【０２４７】
まずステップＳ２０Ａで、テキストメモリ５１の記憶内容、すなわち、テキストメモリ５１に記憶されている設定情報（前述の動作設定情報、又はタグカードＴから取得した個人設定情報。後述）に対応した態様で、上記印字部３１９による印字動作を実行させるように動作設定を行う。具体的には、前述したように、印字ヘッド３１９での印字動作におけるテキストの書体の設定などの印刷設定である。そして、液晶ディスプレイ３０５に表示信号を出力し、当該印刷設定の内容を液晶ディスプレイ３０５に表示させる。
【０２４８】
その後、ステップＳ３０Ａで、操作者により操作部３０３を介して、上記ステップＳ２０Ａで行われた印刷設定の内容の編集（例えば、テキストのフォントを「明朝体」から「ゴシック体」に変更する等）が行われたか否かを判定する。操作者により上記印刷設定の内容の編集が行われた場合には、判定が満たされてステップＳ４０Ａに移る。
【０２４９】
ステップＳ４０Ａでは、上記ステップＳ３０Ａで編集された印刷設定の内容（編集後の設定情報）を、新たな設定情報として、テキストメモリ５１に記憶されていた設定情報に上書きし、設定情報の内容を更新する。なお、この新たな設定情報は、操作者が意図的に編集した結果であることから、上述した個人設定情報に該当するものである。その後、ステップＳ２０Ａに戻り同様の手順を繰り返す。
【０２５０】
一方、上記ステップＳ３０Ａにおいて、印刷設定の内容の編集が行われていなかった場合には、ステップＳ３０Ａの判定は満たされずステップＳ５０Ａに移る。
【０２５１】
ステップＳ５０Ａでは、上記ステップＳ２０Ａで行われた印刷設定の内容、言い換えれば、テキストメモリ５１の記憶内容（＝テキストメモリ５１に記憶されている設定情報）に基づき、上記印刷駆動回路１１９を介し上記印字ヘッド３１９に制御信号を出力する。そして、印字ヘッド３１９に、テキストメモリ５１に記憶されている設定情報に応じた印字動作を実行させ、印字ラベルＬを作成（印刷）する（制御手段としての機能）。具体的には、上記ステップＳ２０Ａで行われた印刷設定の内容に沿って、別途キーボード３０３により入力されたテキスト等を上記印字バッファ５３にドットパターンデータとして展開し記憶する。そして、入出力インターフェース４４を介して、上記サーマル印刷機構４等に制御信号を出力してテープ圧着ローラ３１８を介して基材テープ１０１を搬送し、印字ヘッド３１９によりカバーフィルム１０３の所定の印字領域に対し上記印字バッファ５４に記憶したドットパターンデータに基づき印字を行わせ、最終的に印字ラベルＬを作成させる。その後、このフローを終了する。なお、このフローは、例えば印字ラベル作成装置３００の電源がオンの間、あるいは所定の終了操作がされるまでの間は、繰り返し継続して実行される。
【０２５２】
なお、上記フローチャートは本発明を上記フローに示す手順に限定するものではなく、発明の趣旨及び技術的思想を逸脱しない範囲内で手順の追加・削除又は順番の変更等をしてもよい。
【０２５３】
図２７は、上記図２６のフローと並行して、印字ラベル作成装置３００のＣＰＵ４０によって実行される制御内容を表すフローチャートであり、前述の図１０に対応する図である。図１０と同等の部分には同符号を付し適宜説明を省略する。なお、前述と同様、図２７に示すフローが上記図２６のフローに対し所定の時間間隔ごとに割り込み処理として実行されてもよいし、「マルチタスク処理」と同様の手法により２つのフローがＣＰＵ４０によって同時並行処理されるようにしてもよい。
【０２５４】
図２７において、ステップＳ１００、ステップＳ１２０、ステップＳ１４０、及びステップＳ１６０は、前述の図１０と同様である。すなわち、タグカードＴの無線タグ回路素子Ｔｏに対し、タグ読み取り信号を送信し、タグカードＴの無線タグ回路素子ＴｏからタグＩＤが取得されたら、このとき受信したリプライ信号より、個人設定情報及び復帰条件情報を抽出して取得し、個人設定情報及び復帰条件情報の取得が成功したこと報知したら、新たに設けたステップＳ１８０Ａに移る。
【０２５５】
ステップＳ１８０Ａでは、テキストメモリ５１に記憶されていた動作設定情報を（テキストメモリ５１外である）退避用メモリ３０に退避処理（移動して格納する）。なお、テキストメモリ５１の動作設定情報を移動させるのではなく、複製を作成して退避用メモリ３０に格納するようにしてもよい（以下の退避処理、復帰処理についてすべて同様）。
【０２５６】
そして、ステップＳ２００Ａでは、上記ステップＳ１４０で取得された個人設定情報をテキストメモリ５１に書き込む。すなわち、ステップＳ１８０Ａでの移動により動作設定情報が空になったテキストメモリ５１に対し、動作設定情報を置き換えるように個人設定情報が書き込まれることとなる。
【０２５７】
その後、ステップＳ３００Ａでは、上記ステップＳ１４０で取得された復帰条件情報に基づき復帰処理を実行する（詳細手順は後述の図２８参照）。そして、このフローを終了する。なお、このフローは、例えば複合機２の電源がオンの間、あるいは所定の終了操作がされるまでの間は、繰り返し継続して実行される。
【０２５８】
以上において、上記図２７のステップＳ１８０Ａ及びステップＳ２００Ａが、特許請求の範囲各項記載の設定変更手段として機能する。
【０２５９】
なお、上記フローチャートは本発明を上記フローに示す手順に限定するものではなく、発明の趣旨及び技術的思想を逸脱しない範囲内で手順の追加・削除又は順番の変更等をしてもよい。
【０２６０】
図２８は、上記ステップＳ３００Ａの詳細手順を表すフローチャートであり、前述の図１１及び図１６に対応する図である。
【０２６１】
図２８において、まずステップＳ３１０Ａでは、上記図２６のステップＳ５０Ａにおいて、印字ヘッド３１９により印字動作に係わる所定の作業量（例えば、１枚のラベル印刷）を実行したか否かを判定する。このような所定の作業量が終了するまでループして待機し、印字ヘッド３１９により所定の作業量が終了したら、すなわち、上記作業量条件が満たされたら、判定が満たされてステップＳ４００Ａに移る。
【０２６２】
ステップＳ４００Ａでは、先にステップ１８０Ａで退避用メモリ３０に退避して記憶されていた動作設定情報を読み出し、再びテキストメモリ５１に復帰処理（移動して格納）する（設定復帰手段としての機能）。その後、このルーチンを終了する。
【０２６３】
なお、上記フローチャートは本発明を上記フローに示す手順に限定するものではなく、発明の趣旨及び技術的思想を逸脱しない範囲内で手順の追加・削除又は順番の変更等をしてもよい。
【０２６４】
なお、本変形例においては、図２７の上記ステップＳ３００Ａとして、前述した４つの復帰条件（作業量条件、時間条件、無線タグ通信条件、及び無線タグ非通信条件）のうち、作業量条件に基づいて復帰処理を行う例を示した。しかしながら、これに限られず、その他の時間条件、無線タグ通信条件、及び無線タグ非通信条件に基づいて復帰処理を行ってもよい。
【０２６５】
本変形例によれば、印字ラベル作成装置３００に関し、上記実施形態と同様、操作者個人の用途や嗜好等に対応した印字ヘッド３１９の設定を個人設定情報としてタグカードＴに記憶させておくことで、そのタグカードＴに対し情報読み取りを行わせるという簡単な操作で上記個人的な設定に対応した態様で印字ヘッド３１９を動作させることができる。そして、そのような動作を行わせた後は、タグカードＴに記憶された復帰条件情報に含まれる復帰条件が満たされたときに、所望のタイミングで元の印字ヘッド３１９の設定に容易に復帰させることができる。これにより、複数名で共同で印字ラベル作成装置３００を利用する場合であっても、操作者個人にとって便利な態様で（他者に迷惑をかけることなく）確実に利用することができ、利便性を向上することができる。
【０２６６】
また、図２２及び図２３に示したように、上記動作設定情報及び個人設定情報は、印字ヘッド３１９がカバーフィルム１０３に印字するテキストデータと、当該テキストデータの書体情報とを含み、さらに上記テキストデータの装飾情報を含んでいる。これにより、印字ヘッド３１９によりカバーフィルム１０３に印字するテキストの内容やそのテキストの書体、さらに上記テキストの装飾に関する設定を、タグカードＴを用いることで操作者個人の用途や嗜好等に対応した設定に一時的に変更し、その後、再び元の設定に戻すことができる。
【０２６７】
なお、上記において、印字の終了した印字済みテープ１０２をカッタ３３１で切断して印字ラベルＬを作成した場合を例にとって説明したが、これに限られない。すなわち、ラベルに対応した所定の大きさに予め分離されたラベル台紙（いわゆるダイカットラベル）がロールから繰り出されるテープ上に連続配置されているような場合には、カッタ３３１で切断しなくても、テープが排出口から排出されてきた後にラベル台紙（対応する印字がなされたもの）のみをテープから剥がして印字ラベルＬを作成しても良く、本発明はこのようなものに対しても適用できる。
【０２６８】
また、以上においては、基材テープ１０１とは別のカバーフィルム１０３に印字を行ってこれらを貼り合わせる方式であったが、これに限られず、基材テープ１０１（被印字媒体）に備えられた被印字テープ層に印字を行う方式（貼りあわせを行わないタイプ）に本発明を適用してもよい。
【０２６９】
さらに、以上は、基材テープ１０１がリール部材の周りに巻回されてロールを構成し、カートリッジ３１０内にそのロールが配置されて基材テープ１０１等が繰り出される場合を例にとって説明したが、これに限られない。例えば、長尺平紙状あるいは短冊状のテープやシート（ロールに巻回されたテープを繰り出した後に適宜の長さに切断して形成したものを含む）を、所定の収納部にスタックして（例えばトレイ状のものに平積み積層して）カートリッジ化し、このカートリッジをカートリッジホルダ３０９に装着して、上記収納部から移送、搬送して印字を行い印字ラベルＬを作成するようにしてもよい。
【０２７０】
さらには上記ロールを直接印字ラベル作成装置３０側に着脱可能に装着する構成や、長尺平紙状あるいは短冊状のテープやシートを印字ラベル作成装置３００外より１枚ずつ所定のフィーダ機構によって移送しラベル作成装置１内へ供給する構成も考えられ、さらにはカートリッジ３１０のような印字ラベル作成装置３００の装置本体３０２側に着脱可能なものにも限られず、装置本体３０２側に着脱不能のいわゆる据え付け型あるいは一体型としてロールを設けることも考えられる。この場合も同様の効果を得る。
【０２７１】
また、以上既に述べた以外にも、上記実施形態や各変形例による手法を適宜組み合わせて利用しても良い。
【０２７２】
その他、一々例示はしないが、本発明は、その趣旨を逸脱しない範囲内において、種々の変更が加えられて実施されるものである。
【図面の簡単な説明】
【０２７３】
【図１】本実施形態の無線タグ読み取り機能付き機器である複合機の全体概略構成を表す斜視図である。
【図２】複合機の機能的構成を表す機能ブロック図である。
【図３】複合機におけるＲＦ通信制御部の詳細構造を表す機能ブロック図である。
【図４】タグカードに備えられる無線タグ回路素子の機能的構成の一例を表す機能ブロック図である。
【図５】複合機の主メモリに記憶されている動作設定情報の一例を概念的に表す図である。
【図６】タグカードの無線タグ回路素子に記憶されている情報の一例を概念的に表す図である。
【図７】タグカードの無線タグ回路素子に記憶されている情報の他の例を概念的に表す図である。
【図８】タグカードの表面の印刷表示の一例を表す図である。
【図９】複合機本体のＣＰＵによって実行される制御内容を表すフローチャートである。
【図１０】複合機本体のＣＰＵによって実行される制御内容を表すフローチャートである。
【図１１】復帰条件が作業量条件に設定された復帰条件情報に基づいて実行されるステップＳ３００の詳細手順を表すフローチャートである。
【図１２】復帰条件が時間条件に設定された復帰条件情報に基づいて実行されるステップＳ３００の詳細手順を表すフローチャートである。
【図１３】復帰条件が無線タグ通信条件に設定された復帰条件情報に基づいて実行されるステップＳ３００の詳細手順を表すフローチャートである。
【図１４】復帰条件が無線タグ非通信条件に設定された復帰条件情報に基づいて実行されるステップＳ３００の詳細手順を表すフローチャートである。
【図１５】タグカードに退避処理する変形例において、複合機本体のＣＰＵによって実行される制御内容を表すフローチャートである。
【図１６】復帰条件が作業量条件に設定された復帰条件情報に基づいて実行されるステップＳ３００′の詳細手順を表すフローチャートである。
【図１７】本発明を複数の機器に適用する変形例を説明するための概念図である。
【図１８】本発明を印字ラベル作成装置に適用する変形例において、無線タグ読み取り機能付き機器である印字ラベル作成装置の全体概略構成を表す斜視図である。
【図１９】印字ラベル作成装置の開閉蓋を開けた状態の全体概略構成を示す斜視図である。
【図２０】カートリッジを装着した状態のカートリッジホルダの周辺部分を示す一部透視上面図である。
【図２１】印字ラベル作成装置の制御系を示す図である。
【図２２】印字ラベル作成装置のテキストメモリに記憶されている動作設定情報の一例を概念的に表す図である。
【図２３】タグカードの無線タグ回路素子に記憶されている情報の一例を概念的に表す図である。
【図２４】印字ラベルの外観の一例を表す上面図及び下面図である。
【図２５】図２４（ａ）中ＸＸＶ−ＸＸＶ′断面による横断面図を９０°回転させて示す図である。
【図２６】印字ラベル作成装置のＣＰＵによって実行される制御内容を表すフローチャートである。
【図２７】印字ラベル作成装置のＣＰＵによって実行される制御内容を表すフローチャートである。
【図２８】復帰条件が作業量条件に設定された復帰条件情報に基づいて実行されるステップＳ３００Ａの詳細手順を表すフローチャートである。
【符号の説明】
【０２７４】
２                複合機（無線タグ読み取り機能付き機器）
９                アンテナ（アンテナ手段）
１０              表示部（表示手段、動作手段）
２１              ＣＰＵ（制御手段）
２４              主メモリ（設定記憶手段）
２７              印字部（第１印字手段、動作手段）
２８              音声発生部（発音手段、動作手段）
３０              退避用メモリ（退避用記憶手段）
４０              ＣＰＵ
５１              テキストメモリ（設定記憶手段）
１０３            カバーフィルム（被印字媒体）
１５０            ＩＣ回路部
１５１            タグアンテナ
２０２            プリンタ（無線タグ読み取り機能付き機器）
２０３            ファックス機（無線タグ読み取り機能付き機器）
２０４            コピー機（無線タグ読み取り機能付き機器）
２０５            電話機（無線タグ読み取り機能付き機器）
３００            印字ラベル作成装置（無線タグ読み取り機能付き機器）
３１９            印字ヘッド（第２印字手段、動作手段）
Ｌ                印字ラベル
Ｔ                タグカード（無線タグ）
Ｔｏ              無線タグ回路素子
【図１】
2010128868.tif 000003
【図２】
2010128868.tif 000004
【図３】
2010128868.tif 000005
【図４】
2010128868.tif 000006
【図５】
2010128868.tif 000007
【図６】
2010128868.tif 000008
【図７】
2010128868.tif 000009
【図８】
2010128868.tif 000010
【図９】
2010128868.tif 000011
【図１０】
2010128868.tif 000012
【図１１】
2010128868.tif 000013
【図１２】
2010128868.tif 000014
【図１３】
2010128868.tif 000015
【図１４】
2010128868.tif 000016
【図１５】
2010128868.tif 000017
【図１６】
2010128868.tif 000018
【図１７】
2010128868.tif 000019
【図１８】
2010128868.tif 000020
【図１９】
2010128868.tif 000021
【図２０】
2010128868.tif 000022
【図２１】
2010128868.tif 000023
【図２２】
2010128868.tif 000024
【図２３】
2010128868.tif 000025
【図２４】
2010128868.tif 000026
【図２５】
2010128868.tif 000027
【図２６】
2010128868.tif 000028
【図２７】
2010128868.tif 000029
【図２８】
2010128868.tif 000030